(57)【要約】【課題】レンズの温度変化による屈折率変化を補償しながらも、撮像装置の部品点数の増加を抑える技術を提供する。【解決手段】レンズ３５ａとレンズ３５ｂを含む組み合わせレンズと、組み合わせレンズを収容するホルダ３１と、レンズよりも弾性率が大きい接着剤３６ａと、レンズ３５ａよりも弾性率が小さい接着剤３６ｂと、を備え、組み合わせレンズの温度の変化に伴う第１、レンズ３５ａ、３５ｂの屈折率の変化が組み合わせレンズの焦点距離の変化に及ぼす影響と、組み合わせレンズの温度の変化に伴うレンズ３５ａの変形が組み合わせレンズの焦点距離の変化に及ぼす影響とが、逆になるよう、接着剤３６ａがレンズ３５ａの面のうちレンズ３５ｂから遠い側の面とホルダ３１との間に介在し、接着剤３６ｂがレンズ３５ａの面のうちレンズ３５ｂに近い側の面とホルダ３１との間に介在する。【選択図】図７Ａ
2015219437.tif 000002
【特許請求の範囲】
【請求項１】
第１のレンズ（３５ａ、３５ｃ、３５ｆ、３５ｈ、３５ｉ、３５ｋ、３５ｐ、３５ｒ）と第２のレンズ（３５ｂ、３５ｄ、３５ｅ、３５ｇ、３５ｊ、３５ｍ、３５ｎ、３５ｑ）を含む組み合わせレンズ（３５ａ〜３５ｒ）と、
前記組み合わせレンズを収容するホルダ（３１）と、
前記第１のレンズを前記ホルダに接着させると共に、前記第１のレンズよりも弾性率が大きい第１の接着剤（３６ａ、３６ｄ、３６ｆ、３６ｇ、３６ｊ、３６ｋ、３６ｎ、３６ｒ）と、
前記第１のレンズを前記ホルダに接着させると共に、前記第１のレンズよりも弾性率が小さい第２の接着剤（３６ｂ、３６ｃ、３６ｅ、３６ｈ、３６ｉ、３６ｍ、３６ｐ、３６ｑ）と、を備え、
前記組み合わせレンズの温度の変化に伴う前記第１のレンズおよび前記第２のレンズの屈折率の変化が前記組み合わせレンズの焦点距離の変化に及ぼす影響と、前記組み合わせレンズの温度の変化に伴う前記第１のレンズの変形が前記組み合わせレンズの焦点距離の変化に及ぼす影響とが、逆になるよう、前記第１の接着剤が前記第１のレンズの一方側の面と前記ホルダとの間に介在し、前記第２の接着剤が前記第１のレンズの他方側の面と前記ホルダとの間に介在することを特徴とする撮像装置のレンズモジュール。
【請求項２】
前記第１のレンズ（３５ａ、３５ｆ）の焦点距離と前記第２のレンズ（３５ｂ、３５ｅ）の焦点距離の積は負であり、前記第１のレンズの焦点距離と前記第２のレンズの焦点距離の和は、前記第１のレンズと前記第２のレンズの間の距離よりも小さく、
温度が上昇することに伴う前記第１のレンズおよび前記第２のレンズの屈折率の変化は、前記組み合わせレンズの焦点距離を短くする方向に働き、
前記第１の接着剤（３６ａ、３６ｆ）は、前記第１のレンズの面のうち前記前記第２のレンズから遠い側の面と前記ホルダとの間に介在して前記第１のレンズを前記ホルダに接着させ、
前記第２の接着剤（３６ｂ、３６ｅ）は、前記第１のレンズの面のうち前記前記第２のレンズに近い側の面と前記ホルダとの間に介在して前記第１のレンズを前記ホルダに接着させ、
前記第１のレンズと前記第２のレンズの間の距離は、温度が上昇すると短くなることで前記組み合わせレンズの焦点距離を長くする方向に働くことを特徴とする請求項１に記載の撮像装置のレンズモジュール。
【請求項３】
前記第１のレンズ（３５ｃ、３５ｈ）の焦点距離と前記第２のレンズ（３５ｄ、３５ｇ）の焦点距離の積は負であり、前記第１のレンズの焦点距離と前記第２のレンズの焦点距離の和は、前記第１のレンズと前記第２のレンズの間の距離よりも小さく、
温度が上昇することに伴う前記第１のレンズおよび前記第２のレンズの屈折率の変化は、前記組み合わせレンズの焦点距離を長くする方向に働き、
前記第１の接着剤（３６ｄ、３６ｇ）は、前記第１のレンズの面のうち前記前記第２のレンズに近い側の面と前記ホルダとの間に介在して前記第１のレンズを前記ホルダに接着させ、
前記第２の接着剤（３６ｃ、３６ｈ）は、前記第１のレンズの面のうち前記前記第２のレンズから遠い側の面と前記ホルダとの間に介在して前記第１のレンズを前記ホルダに接着させ、
前記第１のレンズと前記第２のレンズの間の距離は、温度が上昇すると長くなることで前記組み合わせレンズの焦点距離を長くする方向に働くことを特徴とする請求項１に記載の撮像装置のレンズモジュール。
【請求項４】
前記第１のレンズ（３５ｉ、３５ｐ）の焦点距離と前記第２のレンズ（３５ｊ、３５ｎ）の焦点距離の積は正であり、前記第１のレンズの焦点距離と前記第２のレンズの焦点距離の和は、前記第１のレンズと前記第２のレンズの間の距離よりも大きく、
温度が上昇することに伴う前記第１のレンズおよび前記第２のレンズの屈折率の変化は、前記組み合わせレンズの焦点距離を短くする方向に働き、
前記第１の接着剤（３６ｊ、３６ｎ）は、前記第１のレンズの面のうち前記前記第２のレンズに近い側の面と前記ホルダとの間に介在して前記第１のレンズを前記ホルダに接着させ、
前記第２の接着剤（３６ｉ、３６ｐ）は、前記第１のレンズの面のうち前記前記第２のレンズから遠い側の面と前記ホルダとの間に介在して前記第１のレンズを前記ホルダに接着させ、
前記第１のレンズと前記第２のレンズの間の距離は、温度が上昇すると長くなることで前記組み合わせレンズの焦点距離を長くする方向に働くことを特徴とする請求項１に記載の撮像装置のレンズモジュール。
【請求項５】
前記第１のレンズ（３５ｋ、３５ｒ）の焦点距離と前記第２のレンズ（３５ｍ、３５ｑ）の焦点距離の積は正であり、前記第１のレンズの焦点距離と前記第２のレンズの焦点距離の和は、前記第１のレンズと前記第２のレンズの間の距離よりも大きく、
温度が上昇することに伴う前記第１のレンズおよび前記第２のレンズの屈折率の変化は、前記組み合わせレンズの焦点距離を長くする方向に働き、
前記第１の接着剤（３６ｋ、３６ｒ）は、前記第１のレンズの面のうち前記前記第２のレンズから遠い側の面と前記ホルダとの間に介在して前記第１のレンズを前記ホルダに接着させ、
前記第２の接着剤（３６ｍ、３６ｑ）は、前記第１のレンズの面のうち前記前記第２のレンズに近い側の面と前記ホルダとの間に介在して前記第１のレンズを前記ホルダに接着させ、
前記第１のレンズと前記第２のレンズの間の距離は、温度が上昇すると長くなることで前記組み合わせレンズの焦点距離を短くする方向に働くことを特徴とする請求項１に記載の撮像装置のレンズモジュール。
【発明の詳細な説明】
【技術分野】
【０００１】
本発明は、撮像装置のレンズモジュールに関するものである。
【背景技術】
【０００２】
従来より、撮像装置の光学系に用いられるレンズには、温度によって屈折率が変化してレンズの焦点距離が変化してしまい、その結果、撮像装置の性能が悪化してしまうという問題がある。
【０００３】
このような問題に対し、特許文献１では、レンズ保持平板の表面にレンズ保持平板よりも線膨張係数の大きいレンズを取り付け、レンズ保持平板とレンズの線膨張係数の違いを利用して、レンズの温度変化による屈折率変化を補償する技術を開示している。
【先行技術文献】
【特許文献】
【０００４】
【特許文献１】国際公開第２００９／１０１９２８号
【発明の概要】
【発明が解決しようとする課題】
【０００５】
しかし、特許文献１のような方法では、レンズの温度変化による屈折率変化を補償するために、レンズ保持平板という特別な部材を追加する必要があるので、撮像装置の部品点数が増大してしまうという問題がある。
【０００６】
本発明は上記問題点に鑑み、レンズの温度変化による屈折率変化を補償しながらも、撮像装置の部品点数の増加を抑える技術を提供することを目的とする。
【課題を解決するための手段】
【０００７】
上記目的を達成するための請求項１に記載の発明は、第１のレンズ（３５ａ、３５ｃ、３５ｆ、３５ｈ、３５ｉ、３５ｋ、３５ｐ、３５ｒ）と第２のレンズ（３５ｂ、３５ｄ、３５ｅ、３５ｇ、３５ｊ、３５ｍ、３５ｎ、３５ｑ）を含む組み合わせレンズ（３５ａ〜３５ｒ）と、前記組み合わせレンズを収容するホルダ（３１）と、前記第１のレンズを前記ホルダに接着させると共に、前記第１のレンズよりも弾性率が大きい第１の接着剤（３６ａ、３６ｄ、３６ｆ、３６ｇ、３６ｊ、３６ｋ、３６ｎ、３６ｒ）と、前記第１のレンズを前記ホルダに接着させると共に、前記第１のレンズよりも弾性率が小さい第２の接着剤（３６ｂ、３６ｃ、３６ｅ、３６ｈ、３６ｉ、３６ｍ、３６ｐ、３６ｑ）と、を備え、
前記組み合わせレンズの温度の変化に伴う前記第１のレンズおよび前記第２のレンズの屈折率の変化が前記組み合わせレンズの焦点距離の変化に及ぼす影響と、前記組み合わせレンズの温度の変化に伴う前記第１のレンズの変形が前記組み合わせレンズの焦点距離の変化に及ぼす影響とが、逆になるよう、前記第１の接着剤が前記第１のレンズの一方側の面と前記ホルダとの間に介在し、前記第２の接着剤が前記第１のレンズの他方側の面と前記ホルダとの間に介在することを特徴とする撮像装置のレンズモジュール。
【０００８】
このように、弾性率の異なる第１、第２の接着剤を第１のレンズのどちら側の面に付けるかで、第１のレンズの温度変化による変形を調整でき、ひいては、第１のレンズと第２のレンズの間の距離を調整できる。したがって、第１、第２の接着剤を第１のレンズのどちら側の面に付けるかを適切に設定することで、温度の変化に伴うする第１、第２のレンズの屈折率の変化が組み合わせレンズの焦点距離の変化に及ぼす影響と、組み合わせレンズの温度の変化に伴う第１のレンズの変形が組み合わせレンズの焦点距離の変化に及ぼす影響とを、逆にすることができる。その結果、温度の変化に伴う組み合わせレンズの焦点距離の変動量が低減される。また、このように、レンズの温度変化による屈折率変化を補償しながらも、その補償の手段として用いるのは、補償のためでなくとも通常も用いられる接着剤なので、撮像装置の部品点数の増加を抑えることができる。
【０００９】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００１０】
【図１】本発明の第１実施形態に係る撮像装置１の斜視図である。
【図２】撮像装置１の部品展開図である。
【図３】カメラモジュール３の斜視図である。
【図４】カメラモジュール３の正面図である。
【図５】カメラモジュール３の部品展開図である。
【図６】図５のＶＩ−ＶＩ断面図である。
【図７Ａ】常温時のレンズ部分の拡大図である。
【図７Ｂ】高温時のレンズ部分の拡大図である。
【図７Ｃ】低温時のレンズ部分の拡大図である。
【図８Ａ】第２実施形態における常温時のレンズ部分の拡大図である。
【図８Ｂ】第２実施形態における高温時のレンズ部分の拡大図である。
【図８Ｃ】第２実施形態における低温時のレンズ部分の拡大図である。
【図９Ａ】第３実施形態における常温時のレンズ部分の拡大図である。
【図９Ｂ】第３実施形態における高温時のレンズ部分の拡大図である。
【図９Ｃ】第３実施形態における低温時のレンズ部分の拡大図である。
【図１０Ａ】第４実施形態における常温時のレンズ部分の拡大図である。
【図１０Ｂ】第４実施形態における高温時のレンズ部分の拡大図である。
【図１０Ｃ】第４実施形態における低温時のレンズ部分の拡大図である。
【図１１Ａ】第５実施形態における常温時のレンズ部分の拡大図である。
【図１１Ｂ】第５実施形態における高温時のレンズ部分の拡大図である。
【図１１Ｃ】第５実施形態における低温時のレンズ部分の拡大図である。
【図１２Ａ】第６実施形態における常温時のレンズ部分の拡大図である。
【図１２Ｂ】第６実施形態における高温時のレンズ部分の拡大図である。
【図１２Ｃ】第６実施形態における低温時のレンズ部分の拡大図である。
【図１３Ａ】第７実施形態における常温時のレンズ部分の拡大図である。
【図１３Ｂ】第７実施形態における高温時のレンズ部分の拡大図である。
【図１３Ｃ】第７実施形態における低温時のレンズ部分の拡大図である。
【図１４Ａ】第８実施形態における常温時のレンズ部分の拡大図である。
【図１４Ｂ】第８実施形態における高温時のレンズ部分の拡大図である。
【図１４Ｃ】第８実施形態における低温時のレンズ部分の拡大図である。
【図１５】第１〜第８実施形態の概要を示す図表である。
【発明を実施するための形態】
【００１１】
（第１実施形態）
以下、本発明の第１実施形態について説明する。本実施形態に係る撮像装置１は、車両に搭載され、車両の前方を撮影し、撮影の結果得た画像を用いて種々の解析処理（画像認識処理等）を行い、その結果の信号を同じ車内の他のＥＣＵ（例えば、ヘッドライト制御ＥＣＵ、車線逸脱検知ＥＣＵ）等に出力する装置である。
【００１２】
図１に示すように、この撮像装置１は、筐体２と、筐体２の上面の中央部付近に形成された開口部２１から一部が露出しているカメラモジュール３とを有している。このカメラモジュール３が、車両の前方を撮影する部分である。
【００１３】
この撮像装置１は、ウインドシールド（すなわちフロントガラス）のうち車室内かつルームミラーの近傍に位置する部分に取り付けられる。この取り付け位置では、撮像装置１の周囲の環境温度は、低いときには−４０℃近くまで下がり、高いときには１００℃近くまで上昇する。したがって、撮像装置１は、−４０℃以上かつ１００℃以下の動作温度範囲内で適切に作動しなければならない。
【００１４】
ここで、撮像装置１の構成について更に詳しく説明する。図２に示すように、撮像装置１は、筐体２、カメラモジュール３、制御基板４、電気接続配線５、下部カバー６を有している。
【００１５】
金属製の筐体２の上面の中央付近には、上述の通り、筐体２の内部と外部を繋ぐ開口部２１が形成されている。カメラモジュール３を、一部が開口部２１から露出するように筐体２に装着し、このカメラモジュール３の下方に制御基板４および電気接続配線５を配置し、更にその下方において下部カバー６を筐体２に固定することで、撮像装置１が構成される。なお、筐体２上の開口部２１の位置は、制御基板４と対向する位置となっている。
【００１６】
なお、窪み部２２は、筐体２がカメラモジュール３の撮影範囲を遮らないように形成された部分であり、また、開口部２１は、カメラモジュール３の撮影範囲を遮らないように形成されている。
【００１７】
ここで、カメラモジュール３の構成について、図３〜図７Ｃを参照して説明する。カメラモジュール３は、第１ホルダ３１、第２ホルダ３２、カメラ基板３３、被写体側レンズ３５ａ、結像側レンズ３５ｂ、被写体側接着剤３６ａ、結像側接着剤３６ｂ等を有している。
【００１８】
なお、第１ホルダ３１、被写体側レンズ３５ａ、結像側レンズ３５ｂ、被写体側接着剤３６ａ、結像側接着剤３６ｂが、レンズモジュール４０を構成する。また、被写体側レンズ３５ａが第１のレンズの一例に相当し、結像側レンズ３５ｂが第２のレンズの一例に相当し、被写体側接着剤３６ａが第１の接着剤の一例に相当し、結像側接着剤３６ｂが第２の接着剤の一例に相当する。
【００１９】
第１ホルダ３１は、車両の前方の撮影に用いる光学系を内側に収容する略円筒形の樹脂性部材である。より詳しくは、第１ホルダ３１は、先端部３１ａ、胴部３１ｂ、第１内フランジ３１ｃ、第２内フランジ３１ｄ、第３内フランジ３１ｅを有し、光学系として被写体側レンズ３５ａ、結像側レンズ３５ｂを内部に収容する。
【００２０】
先端部３１ａは、外周の径が先端方向（図６の左方向）に向かって縮径する筒形状の部材である。胴部３１ｂは、内径も外径もほぼ一定の略円筒形状の部材であり、その先端（図６の左側端部）が、先端部３１ａの尾部に一体に接続している。なお、先端部３１ａと胴部３１ｂは、光軸３１０を軸として同軸に配置されている。
【００２１】
第１内フランジ３１ｃ、第２内フランジ３１ｄ、および第３内フランジ３１ｅは、それぞれ、先端部３１ａと一体に形成され、先端部３１ａの内周面の全周から光軸３１０に向かって延びる穴あき円盤形状の部材である。これら内フランジ３１ｃ〜３１ｅは、光軸３１０の方向に間隔を置いて並んで配置されている。
【００２２】
第２ホルダ３２は、第１ホルダ３１を収容すると共にカメラ基板３３がネジ止め固定される部材である。この第２ホルダ３２は、主として樹脂から成る。この第２ホルダ３２は、カメラ基板３３がネジ止め固定されるホルダ基部３２ａと、ホルダ基部３２ａから光軸３１０の方向に延びて第１ホルダ３１を収容する略円筒形状のホルダ筒部３２ｂと、を有している。ホルダ基部３２ａとホルダ筒部３２ｂは一体に形成されている。
【００２３】
カメラ基板３３は、車両前方の撮影画像を取得するための固体撮像素子３３ａ（例えばＣＭＯＳイメージセンサ）が実装された回路基板であり、第２ホルダ３２の後背面に固定される。第１ホルダ３１が第２ホルダ３２に固定され、カメラ基板３３が第２ホルダ３２に固定された状態で、第１ホルダ３１内のレンズ３５ａ、３５ｂの共通の光軸３１０上に、上記固体撮像素子３３ａが配置される。
【００２４】
被写体側レンズ３５ａに入射した光が被写体側レンズ３５ａおよび結像側レンズを通って固体撮像素子３３ａ上で像を結び、固体撮像素子３３ａがこの像に応じた信号を出力する。なお、筐体２上の開口部２１の位置は、カメラ基板３３と対向する位置となっている。
【００２５】
図２に示した電気接続配線５は、このカメラ基板３３上の固体撮像素子３３ａおよびその他の回路と、制御基板４上に実装された回路とを接続する配線（例えばフレキシブルプリント基板）である。制御基板４上に実装された回路には、上述の解析処理等を行う検出部が含まれる。
【００２６】
ここで、被写体側レンズ３５ａおよび結像側レンズ３５ｂについて説明する。本実施形態では、被写体側レンズ３５ａは、樹脂製のレンズであり、結像側レンズ３５ｂは、ガラス製のレンズである。しかし、第１、結像側レンズの材質は、上記のものに限定されるわけではない。
【００２７】
これら２つのレンズ３５ａ、３５ｂは、１つの組み合わせレンズを構成し、被写体側レンズ３５ａよりも結像側レンズ３５ｂが組み合わせレンズの結像側に、すなわち、固体撮像素子３３ａ側に、配置される。
【００２８】
ここで、被写体側レンズ３５ａ、結像側レンズ３５ｂの第１ホルダ３１への取り付け構造について、図７Ａ〜図７Ｃを参照して説明する。被写体側レンズ３５ａは、周縁部が第１内フランジ３１ｃと第２内フランジ３１ｄとに挟まれることで、第１ホルダ３１内に収容される。また、結像側レンズ３５ｂは、周縁部が第２内フランジ３１ｄと第３内フランジ３１ｅとに挟まれることで、第１ホルダ３１内に収容される。
【００２９】
そして、被写体側接着剤３６ａが、被写体側レンズ３５ａの被写体側（図７Ａ〜図７Ｃ中の左側）の面の周縁部と第１内フランジ３１ｃとの間に介在して被写体側レンズ３５ａを第１内フランジ３１ｃに接着させている。また、結像側接着剤３６ｂが、被写体側レンズ３５ａの上記結像側（図７Ａ〜図７Ｃ中の右側）の面の周縁部と第２内フランジ３１ｄとの間に介在して被写体側レンズ３５ａを第２内フランジ３１ｄに接着させている。
【００３０】
被写体側接着剤３６ａとしては、例えば、エポキシ樹脂系接着剤を用いる。ただし、エポキシ樹脂系接着剤の中でも、弾性率（例えばヤング率。以下同じ。）が被写体側レンズ３５ａの弾性率よりも大きいものを用いる。また、被写体側接着剤３６ａとしては、エポキシ樹脂系接着剤でなくとも、弾性率が被写体側レンズ３５ａの弾性率よりも大きければよい。なお、被写体側接着剤３６ａの弾性率が被写体側レンズ３５ａの弾性率よりも大きいので、被写体側接着剤３６ａの線膨張率は被写体側レンズ３５ａの線膨張率よりも小さい。
【００３１】
結像側接着剤３６ｂとしては、例えば、シリコンゴム系接着剤を用いる。ただし、シリコンゴム系接着剤の中でも、弾性率が被写体側レンズ３５ａの弾性率よりも小さいものを用いる。また、結像側接着剤３６ｂとしては、シリコンゴム系接着剤でなくとも、弾性率が被写体側レンズ３５ａの弾性率よりも小さければよい。なお、結像側接着剤３６ｂの弾性率が被写体側レンズ３５ａの弾性率よりも小さいので、結像側接着剤３６ｂの線膨張率は被写体側レンズ３５ａの線膨張率よりも大きい。
【００３２】
このように、被写体側レンズ３５ａは、被写体側の面が被写体側接着剤３６ａによって第１内フランジ３１ｃに接着され、結像側（固体撮像素子３３ａ側）の面が結像側接着剤３６ｂによって第２内フランジ３１ｄに接着される。
【００３３】
また、結像側レンズ３５ｂについては、被写体側の面の周縁部と第２内フランジ３１ｄとの間に介在する接着剤も、結像側（固体撮像素子３３ａ側）の面の周縁部と第３内フランジ３１ｅとの間に介在する接着剤も、同じ材質および弾性率の接着剤が用いられる。
【００３４】
このように、結像側レンズ３５ｂは、被写体側の面が或る接着剤によって第２内フランジ３１ｄに接着され、結像側の面も同じ接着剤によって第３内フランジ３１ｅに接着される。
【００３５】
ここで、被写体側レンズ３５ａ、結像側レンズ３５ｂの光学特性について説明する。被写体側レンズ３５ａの焦点距離をｆ１とし、結像側レンズ３５ｂの焦点距離をｆ２とし、被写体側レンズ３５ａと結像側レンズ３５ｂの間の距離（以下、レンズ間距離という）をｄとすると、上記組み合わせレンズの焦点距離ｆは、以下の式に従う。
ｆ＝ｆ１×ｆ２／（ｆ１＋ｆ２−ｄ）
そして、本実施形態においては、ｆ１×ｆ２が負となる。これは、被写体側レンズ３５ａが凸レンズなので焦点距離ｆ１が正であり、結像側レンズ３５ｂが凹レンズなので焦点距離ｆ２が負だからである。レンズ３５ａ、３５ｂの温度変化に伴ってレンズ３５ａ、３５ｂの屈折率が変化し、これに起因して、レンズ３５ａ、３５ｂの温度変化に伴って焦点距離ｆ１、ｆ２も変化することはよく知られている。ただし、ｆ１×ｆ２＜０の関係は、上述の動作温度範囲内で常に成立する。また、本実施形態においては、上述の動作温度範囲内で、ｆ１＋ｆ２−ｄが常に負となる。このようになっていることで、上記動作温度範囲内で、組み合わせレンズ３５ａ、３５ｂの焦点距離ｆが正になる。
【００３６】
なお、組み合わせレンズの焦点は、被写体側レンズ３５ａ、結像側レンズ３５ｂの温度が所定の常温Ｔ１（例えば２０℃）において固体撮像素子３３ａの位置と一致するよう、あらかじめ調整されている。ここで、被写体側レンズ３５ａ、結像側レンズ３５ｂの温度が所定の常温Ｔ１である場合のレンズ間距離ｄはｄ＿Ｔ１であるとする。
【００３７】
ここで、被写体側レンズ３５ａ、結像側レンズ３５ｂの温度が所定の常温Ｔ１よりも上昇した場合について説明する。この場合、温度が上昇することに伴う被写体側レンズ３５ａおよび結像側レンズ３５ｂの屈折率の変化は、組み合わせレンズの焦点距離ｆを短くする方向に働く。より具体的に説明すると、以下の通りである。
【００３８】
常温Ｔ１において組み合わせレンズ３５ａ、３５ｂの焦点距離ｆがｆ＿Ｔ１であり、上昇後の高温Ｔ２（例えば１００℃）において焦点距離ｆ１がｆ１＿Ｔ２であり、焦点距離ｆ２がｆ２＿Ｔ２であるとする。この場合、
ｆ＿Ｔ１＞ｆ１＿Ｔ２×ｆ２＿Ｔ２／（ｆ１＿Ｔ２＋ｆ２＿Ｔ２−ｄ＿Ｔ１）
という関係が成立する。なお、右辺では、分母のｄ＿Ｔ１が常温Ｔ１時の距離ｄとなっているので、右辺全体は高温Ｔ２時における組み合わせレンズの焦点距離ｆとは異なる。つまり、レンズ間距離ｄが常温Ｔ１時も高温Ｔ２時も変化せず同じであると仮定すれば、レンズ３５ａ、３５ｂの屈折率の変化によって、組み合わせレンズの焦点距離ｆが短くなる。
【００３９】
なお、本実施形態を含め一般的にレンズの屈折率は上記動作温度範囲を含む広い温度範囲で概ね温度の一次関数となるので、上記のことは、高温Ｔ２がどの温度でも同じように成り立つ。更には、レンズ３５ａ、３５ｂの温度が所定の常温Ｔ１よりも下降して低温Ｔ３になった場合も、上記と逆のことが言える。ここで、低温Ｔ３は、−４０℃でもよいし他の温度でもよい。
【００４０】
つまり、温度が下降することに伴う被写体側レンズ３５ａおよび結像側レンズ３５ｂの屈折率の変化は、組み合わせレンズの焦点距離ｆを長くする方向に働く。すなわち、下降後の低温Ｔ３において焦点距離ｆ１がｆ１＿Ｔ３であり、焦点距離ｆ２がｆ２＿Ｔ３であるとした場合、
ｆ＿Ｔ１＜ｆ１＿Ｔ３×ｆ３＿Ｔ３／（ｆ１＿Ｔ３＋ｆ２＿Ｔ３−ｄ＿Ｔ１）
という関係が成立する。つまり、レンズ間距離ｄが常温Ｔ１時も低温Ｔ３時も変化せず同じであると仮定すれば、レンズ３５ａ、３５ｂの屈折率の変化によって、組み合わせレンズの焦点距離ｆが長くなる。
【００４１】
温度変化によって上記のような屈折率変化および焦点距離変化を示す組み合わせレンズ３５ａ、３５ｂとしては、例えば、以下の条件（Ａ）、（Ｂ）の両方を満たすものがある。
（Ａ）温度変化による屈折率変化量およびそれに起因する焦点距離変化量が、結像側レンズ３５ｂよりも被写体側レンズ３５ａの方が遙かに大きい。
（Ｂ）焦点距離ｆ１は、温度が上昇して屈折率が変化することで短くなり、温度が下降して屈折率が変化することで長くなる。
上記（Ｂ）のような特徴を有する樹脂レンズとしては、シクロオレフィンポリマー樹脂がある。
【００４２】
以下、上記のような構成の組み合わせレンズ３５ａ、３５ｂにおける、温度変化に伴う焦点距離ｆの変化について説明する。組み合わせレンズ３５ａ、３５ｂが常温Ｔ１の場合、図７Ａに示すように、レンズ間距離ｄはｄ＿Ｔ１であり、すでに説明した通り、このとき、組み合わせレンズ３５ａ、３５ｂの焦点は固体撮像素子３３ａの位置と一致する。
【００４３】
また、組み合わせレンズ３５ａ、３５ｂの温度が常温Ｔ１から高温Ｔ２に上昇した場合、図７Ｂに示すように被写体側レンズ３５ａの形状が変化する。具体的には、被写体側接着剤３６ａが被写体側レンズ３５ａよりも弾性率が高く（すなわち硬く）、結像側接着剤３６ｂが被写体側レンズ３５ａよりも弾性率が低い（すなわち軟らかい）。したがって、被写体側レンズ３５ａのうち、被写体側接着剤３６ａと接触している面およびその近傍に比べ、結像側接着剤３６ｂと接触している面およびその近傍の方が、温度上昇による変形量（より具体的には膨張量）が大きくなる。つまり、接着剤３６ａ、３６ｂの弾性率の違いにより、被写体側レンズ３５ａが、被写体側接着剤３６ａ側よりも結像側接着剤３６ｂ側でより自由に変形する。
【００４４】
その結果、被写体側レンズ３５ａが反るように変形することで、被写体側レンズ３５ａの中央部が結像側接着剤３６ｂ側に、すなわち、結像側レンズ３５ｂに近づく方向に、移動する。これにより、レンズ間距離ｄが、ｄ＿Ｔ１よりも短いｄ＿Ｔ２となる。このように、組み合わせレンズ３５ａ、３５ｂの温度が上昇するほど、レンズ間距離ｄが短くなる。
【００４５】
また、組み合わせレンズ３５ａ、３５ｂの温度が常温Ｔ１から低温Ｔ３に下降した場合、図７Ｃに示すように被写体側レンズ３５ａの形状が変化する。具体的には、被写体側レンズ３５ａのうち、被写体側接着剤３６ａと接触している面およびその近傍に比べ、結像側接着剤３６ｂと接触している面およびその近傍の方が、温度下降による変形量（より具体的には収縮量）が大きくなる。
【００４６】
その結果、被写体側レンズ３５ａが反るように変形することで、被写体側レンズ３５ａの中央部が被写体側接着剤３６ａ側に、すなわち、結像側レンズ３５ｂから遠ざかる方向に、移動する。これにより、レンズ間距離ｄが、ｄ＿Ｔ１よりも長いｄ＿Ｔ３となる。このように、組み合わせレンズ３５ａ、３５ｂの温度が下降するほど、レンズ間距離ｄが長くなる。
【００４７】
なお、結像側レンズ３５ｂについては、第２内フランジ３１ｄ、第３内フランジ３１ｅへの接着に用いられる接着剤に特性の違いが無いので、仮に結像側レンズ３５ｂが熱により変形したとしても、その変形は、レンズ間距離ｄの変動に実質的に寄与しない。また、結像側レンズ３５ｂがガラス製のレンズであれば、そもそも温度変化による変形量が樹脂レンズである被写体側レンズ３５ａに比べて遙かに小さい。
【００４８】
上述の通り、組み合わせレンズ３５ａ、３５ｂの焦点距離ｆは、
ｆ＝ｆ１×ｆ２／（ｆ１＋ｆ２−ｄ）
という式によって得られる。そして、本実施形態においては右辺の分子も分母も負なので、レンズ間距離ｄが短くなるほど、焦点距離ｆが長くなる。したがって、温度が上昇してレンズ間距離ｄが短くなることは、組み合わせレンズ３５ａ、３５ｂの焦点距離ｆを長くする方向に働く。そして、温度が下降してレンズ間距離ｄが長くなることは、組み合わせレンズ３５ａ、３５ｂの焦点距離ｆを短くする方向に働く。
【００４９】
このように、温度の上昇に起因する第１、結像側レンズ３５ａ、３５ｂの屈折率の変化が、組み合わせレンズ３５ａ、３５ｂの焦点距離ｆを短くする方向に働いても、被写体側レンズ３５ａの変形が逆に焦点距離ｆを長くする方向に働く。
【００５０】
また、温度の下降に起因する第１、結像側レンズ３５ａ、３５ｂの屈折率の変化が、組み合わせレンズ３５ａ、３５ｂの焦点距離ｆを長くする方向に働いても、被写体側レンズ３５ａの変形が逆に焦点距離ｆを短くする方向に働く。
【００５１】
つまり、両者の働きが相殺される関係にある。結果として、温度の上昇および下降に伴う組み合わせレンズ３５ａ、３５ｂの焦点距離ｆの変動量が低減され、組み合わせレンズ３５ａ、３５ｂの焦点と固体撮像素子３３ａとの位置ずれ量が低減される。
【００５２】
以上説明した通り、レンズ３５ａ（第１のレンズ）の面のうちレンズ３５ｂ（第２のレンズ）から遠い側の面（一方側の面）と第１ホルダ３１との間に、比較的硬い接着剤３６ａ（第１の接着剤）が介在する。また、レンズ３５ａ（第１のレンズ）の面のうちレンズ３５ｂ（第２のレンズ）に近い側の面（他方側の面）と第１ホルダ３１との間に、比較的軟らかい接着剤３６ｂ（第２の接着剤）が介在する。
【００５３】
このように、弾性率の異なる接着剤３６ａ、３６ｂをレンズ３５ａのどちら側の面に付けるかで、レンズ３５ａの温度変化による変形を調整でき、ひいては、レンズ間距離ｄを調整できる。したがって、接着剤３６ａ、３６ｂをレンズ３５ａのどちら側の面に付けるかを適切に設定することで、温度変化に伴うレンズ３５ａ、３５ｂの屈折率の変化が焦点距離ｆの変化に及ぼす影響と、温度変化に伴うレンズ３５ａの変形が焦点距離ｆの変化に及ぼす影響とを、逆にすることができる。その結果、温度変化に伴う焦点距離ｆの変動量が低減される。
【００５４】
また、このように、レンズ３５ａ、３５ｂの温度変化による屈折率変化を補償しながらも、その補償の手段として用いるのは、補償のためでなくとも通常も用いられる接着剤なので、レンズモジュール４０および撮像装置１の部品点数の増加を抑えることができる。
【００５５】
（第２実施形態）
次に、本発明の第２実施形態について、図８Ａ〜図８Ｃを参照して説明する。本実施形態は、第１実施形態について、以下のような変更を適用したものである。まず、組み合わせレンズを構成する被写体側レンズ３５ａおよび結像側レンズ３５ｂを、それぞれ被写体側レンズ３５ｃ、結像側レンズ３５ｄに置き換えている。更に、被写体側接着剤３６ａ、結像側接着剤３６ｂを、それぞれ被写体側接着剤３６ｃ、結像側接着剤３６ｄに置き換えている。その他の構成は、第１実施形態と同じである。
【００５６】
なお、第１ホルダ３１、被写体側レンズ３５ｃ、結像側レンズ３５ｄ、被写体側接着剤３６ｃ、結像側接着剤３６ｄが、レンズモジュール４０を構成する。また、被写体側レンズ３５ｃが第１のレンズの一例に相当し、結像側レンズ３５ｄが第２のレンズの一例に相当し、被写体側接着剤３６ｃが第２の接着剤の一例に相当し、結像側接着剤３６ｄが第１の接着剤の一例に相当する。
【００５７】
本実施形態では、被写体側レンズ３５ｃは、樹脂製のレンズであり、結像側レンズ３５ｄは、ガラス製のレンズである。しかし、第１、結像側レンズの材質は、上記のものに限定されるわけではない。
【００５８】
これら２つのレンズ３５ｃ、３５ｄは、１つの組み合わせレンズを構成し、被写体側レンズ３５ｃよりも結像側レンズ３５ｄが組み合わせレンズの結像側に、すなわち、固体撮像素子３３ａ側に、配置される。
【００５９】
被写体側接着剤３６ｃは、被写体側レンズ３５ｃの被写体側（図８Ａ〜図８Ｃ中の左側）の面の周縁部と第１内フランジ３１ｃとの間に介在して被写体側レンズ３５ｃを第１内フランジ３１ｃに接着させている。また、結像側接着剤３６ｄが、被写体側レンズ３５ｃの結像側（固体撮像素子３３ａ側）の面の周縁部と第２内フランジ３１ｄとの間に介在して被写体側レンズ３５ｃを第２内フランジ３１ｄに接着させている。なお、ここでいう結像側は、組み合わせレンズ３５ｃ、３５ｄの結像側（図８Ａ〜図８Ｃ中の右側）である。
【００６０】
被写体側接着剤３６ｃとしては、例えば、シリコンゴム系接着剤を用いる。ただし、シリコンゴム系接着剤の中でも、弾性率（例えばヤング率。以下同じ。）が被写体側レンズ３５ｃの弾性率よりも小さいものを用いる。また、被写体側接着剤３６ｃとしては、シリコンゴム系接着剤でなくとも、弾性率が被写体側レンズ３５ｃの弾性率よりも小さければよい。なお、被写体側接着剤３６ｃの弾性率が被写体側レンズ３５ｃの弾性率よりも小さいので、被写体側接着剤３６ｃの線膨張率は被写体側レンズ３５ｃの線膨張率よりも大きい。
【００６１】
結像側接着剤３６ｄとしては、例えば、エポキシ樹脂系接着剤を用いる。ただし、エポキシ樹脂系接着剤の中でも、弾性率が被写体側レンズ３５ｃの弾性率よりも大きいものを用いる。また、結像側接着剤３６ｄとしては、エポキシ樹脂系接着剤でなくとも、弾性率が被写体側レンズ３５ｃの弾性率よりも大きければよい。なお、結像側接着剤３６ｄの弾性率が被写体側レンズ３５ｃの弾性率よりも大きいので、結像側接着剤３６ｄの線膨張率は被写体側レンズ３５ｃの線膨張率よりも小さい。
【００６２】
このように、被写体側レンズ３５ｃは、被写体側の面が被写体側接着剤３６ｃによって第１内フランジ３１ｃに接着され、結像側（固体撮像素子３３ａ側）の面が結像側接着剤３６ｄによって第２内フランジ３１ｄに接着される。
【００６３】
また、結像側レンズ３５ｄについては、被写体側の面の周縁部と第２内フランジ３１ｄとの間に介在する接着剤も、結像側（固体撮像素子３３ａ側）の面の周縁部と第３内フランジ３１ｅとの間に介在する接着剤も、同じ材質および弾性率の接着剤が用いられる。
【００６４】
このように、結像側レンズ３５ｄは、被写体側の面が或る接着剤によって第２内フランジ３１ｄに接着され、結像側の面も同じ接着剤によって第３内フランジ３１ｅに接着される。
【００６５】
ここで、被写体側レンズ３５ｃ、結像側レンズ３５ｄの光学特性について説明する。被写体側レンズ３５ｃの焦点距離をｆ１とし、結像側レンズ３５ｄの焦点距離をｆ２とし、被写体側レンズ３５ｃと結像側レンズ３５ｄの間の距離（以下、レンズ間距離という）をｄとすると、上記組み合わせレンズの焦点距離ｆは、以下の式に従う。
ｆ＝ｆ１×ｆ２／（ｆ１＋ｆ２−ｄ）
そして、本実施形態においては、ｆ１×ｆ２が負となる。これは、被写体側レンズ３５ｃが凸レンズなので焦点距離ｆ１が正であり、結像側レンズ３５ｄが凹レンズなので焦点距離ｆ２が負だからである。このｆ１×ｆ２＜０の関係は、第１実施形態と同じ動作温度範囲内で常に成立する。また、本実施形態においては、上記動作温度範囲内で、ｆ１＋ｆ２−ｄが常に負となる。このようになっていることで、上記動作温度範囲内で、組み合わせレンズ３５ｃ、３５ｄの焦点距離ｆが正になる。
【００６６】
なお、組み合わせレンズの焦点は、被写体側レンズ３５ｃ、結像側レンズ３５ｄの温度が所定の常温Ｔ１（例えば２０℃）において固体撮像素子３３ａの位置と一致するよう、あらかじめ調整されている。ここで、被写体側レンズ３５ｃ、結像側レンズ３５ｄの温度が所定の常温Ｔ１である場合のレンズ間距離ｄはｄ＿Ｔ１であるとする。
【００６７】
ここで、被写体側レンズ３５ｃ、結像側レンズ３５ｄの温度が所定の常温Ｔ１よりも上昇した場合について説明する。この場合、温度が上昇することに伴う被写体側レンズ３５ｃおよび結像側レンズ３５ｄの屈折率の変化は、組み合わせレンズの焦点距離ｆを長くする方向に働く。より具体的に説明すると、以下の通りである。
【００６８】
常温Ｔ１において組み合わせレンズ３５ｃ、３５ｄの焦点距離ｆがｆ＿Ｔ１であり、上昇後の高温Ｔ２（例えば１００℃）において焦点距離ｆ１がｆ１＿Ｔ２であり、焦点距離ｆ２がｆ２＿Ｔ２であるとする。この場合、
ｆ＿Ｔ１＜ｆ１＿Ｔ２×ｆ２＿Ｔ２／（ｆ１＿Ｔ２＋ｆ２＿Ｔ２−ｄ＿Ｔ１）
という関係が成立する。なお、右辺では、分母のｄ＿Ｔ１が常温Ｔ１時の距離ｄとなっているので、右辺全体は高温Ｔ２時における組み合わせレンズの焦点距離ｆとは異なる。つまり、レンズ間距離ｄが常温Ｔ１時も高温Ｔ２時も変化せず同じであると仮定すれば、レンズ３５ｃ、３５ｄの屈折率の変化によって、組み合わせレンズの焦点距離ｆが長くなる。
【００６９】
なお、本実施形態を含め一般的にレンズの屈折率は上記動作温度範囲を含む広い温度範囲で概ね温度の一次関数となるので、上記のことは、高温Ｔ２がどの温度でも同じように成り立つ。更には、レンズ３５ｃ、３５ｄの温度が所定の常温Ｔ１よりも下降して低温Ｔ３になった場合も、上記と逆のことが言える。ここで、低温Ｔ３は、−４０℃でもよいし他の温度でもよい。
【００７０】
つまり、温度が下降することに伴う被写体側レンズ３５ｃおよび結像側レンズ３５ｄの屈折率の変化は、組み合わせレンズの焦点距離ｆを短くする方向に働く。すなわち、下降後の低温Ｔ３において焦点距離ｆ１がｆ１＿Ｔ３であり、焦点距離ｆ２がｆ２＿Ｔ３であるとした場合、
ｆ＿Ｔ１＞ｆ１＿Ｔ３×ｆ３＿Ｔ３／（ｆ１＿Ｔ３＋ｆ２＿Ｔ３−ｄ＿Ｔ１）
という関係が成立する。つまり、レンズ間距離ｄが常温Ｔ１時も低温Ｔ３時も変化せず同じであると仮定すれば、レンズ３５ｃ、３５ｄの屈折率の変化によって、組み合わせレンズの焦点距離ｆが短くなる。
【００７１】
温度変化によって上記のような屈折率変化および焦点距離変化を示す組み合わせレンズ３５ｃ、３５ｄとしては、例えば、以下の条件（Ａ）、（Ｂ）の両方を満たすものがある。
（Ａ）温度変化による屈折率変化量およびそれに起因する焦点距離変化量が、結像側レンズ３５ｄよりも被写体側レンズ３５ｃの方が遙かに大きい。
（Ｂ）焦点距離ｆ１は、温度が上昇して屈折率が変化することで長くなり、温度が下降して屈折率が変化することで短くなる。
上記（Ｂ）のような特徴を有する樹脂レンズとしては、シクロオレフィンポリマー樹脂がある。
【００７２】
以下、上記のような構成の組み合わせレンズ３５ｃ、３５ｄにおける、温度変化に伴う焦点距離ｆの変化について説明する。組み合わせレンズ３５ｃ、３５ｄが常温Ｔ１の場合、図８Ａに示すように、レンズ間距離ｄはｄ＿Ｔ１であり、すでに説明した通り、このとき、組み合わせレンズ３５ｃ、３５ｄの焦点は固体撮像素子３３ａの位置と一致する。
【００７３】
また、組み合わせレンズ３５ｃ、３５ｄの温度が高温Ｔ２に上昇した場合、図８Ｂに示すように被写体側レンズ３５ｃの形状が変化する。具体的には、被写体側接着剤３６ｃが被写体側レンズ３５ｃよりも弾性率が低く（すなわち軟らかく）、結像側接着剤３６ｄが被写体側レンズ３５ｃよりも弾性率が高い（すなわち硬い）。したがって、被写体側レンズ３５ｃのうち、被写体側接着剤３６ｃと接触している面およびその近傍に比べ、結像側接着剤３６ｄと接触している面およびその近傍の方が、温度上昇による変形量（より具体的には膨張量）が小さくなる。つまり、接着剤３６ｃ、３６ｄの弾性率の違いにより、被写体側レンズ３５ｃが、結像側接着剤３６ｄ側よりも被写体側接着剤３６ｃ側でより自由に変形する。
【００７４】
その結果、被写体側レンズ３５ｃが反るように変形することで、被写体側レンズ３５ｃの中央部が被写体側接着剤３６ｃ側に、すなわち、結像側レンズ３５ｄから遠ざかる方向に、移動する。これにより、レンズ間距離ｄが、ｄ＿Ｔ１よりも長いｄ＿Ｔ２となる。このように、組み合わせレンズ３５ｃ、３５ｄの温度が上昇するほど、レンズ間距離ｄが長くなる。
【００７５】
また、組み合わせレンズ３５ｃ、３５ｄの温度が常温Ｔ１から低温Ｔ３に下降した場合、図８Ｃに示すように被写体側レンズ３５ｃの形状が変化する。具体的には、被写体側レンズ３５ｃのうち、結像側接着剤３６ｄと接触している面およびその近傍に比べ、被写体側接着剤３６ｃと接触している面およびその近傍の方が、温度下降による変形量（より具体的には収縮量）が大きくなる。
【００７６】
その結果、被写体側レンズ３５ｃが反るように変形することで、被写体側レンズ３５ｃの中央部が結像側接着剤３６ｄ側に、すなわち、結像側レンズ３５ｄに近づく方向に、移動する。これにより、レンズ間距離ｄが、ｄ＿Ｔ１よりも短いｄ＿Ｔ３となる。このように、組み合わせレンズ３５ｃ、３５ｄの温度が下降するほど、レンズ間距離ｄが短くなる。
【００７７】
なお、結像側レンズ３５ｄについては、第２内フランジ３１ｄ、第３内フランジ３１ｅへの接着に用いられる接着剤に特性の違いが無いので、仮に結像側レンズ３５ｄが熱により変形したとしても、その変形は、レンズ間距離ｄの変動に実質的に寄与しない。また、結像側レンズ３５ｄがガラス製のレンズであれば、そもそも温度変化による変形量が樹脂レンズである被写体側レンズ３５ｃに比べて遙かに小さい。
【００７８】
上述の通り、組み合わせレンズ３５ｃ、３５ｄの焦点距離ｆは、
ｆ＝ｆ１×ｆ２／（ｆ１＋ｆ２−ｄ）
という式によって得られる。そして、本実施形態においては右辺の分子も分母も負なので、レンズ間距離ｄが短くなるほど、焦点距離ｆが長くなる。したがって、温度が上昇してレンズ間距離ｄが長くなることは、組み合わせレンズ３５ｃ、３５ｄの焦点距離ｆを短くする方向に働く。また、温度が下降してレンズ間距離ｄが短くなることは、組み合わせレンズ３５ｃ、３５ｄの焦点距離ｆを長くする方向に働く。
【００７９】
このように、温度の上昇に起因する第１、結像側レンズ３５ｃ、３５ｄの屈折率の変化が、組み合わせレンズ３５ｃ、３５ｄの焦点距離ｆを長くする方向に働いても、被写体側レンズ３５ｃの変形が逆に焦点距離ｆを短くする方向に働く。
【００８０】
また、温度の下降に起因する第１、結像側レンズ３５ｃ、３５ｄの屈折率の変化が、組み合わせレンズ３５ｃ、３５ｄの焦点距離ｆを短くする方向に働いても、被写体側レンズ３５ｃの変形が逆に焦点距離ｆを長くする方向に働く。
【００８１】
つまり、両者の働きが相殺される関係にある。結果として、温度の上昇および下降に伴う組み合わせレンズ３５ｃ、３５ｄの焦点距離ｆの変動量が低減され、組み合わせレンズ３５ｃ、３５ｄの焦点と固体撮像素子３３ａとの位置ずれ量が低減される。
【００８２】
以上説明した通り、レンズ３５ｃ（第１のレンズ）の面のうちレンズ３５ｄ（第２のレンズ）に近い側の面（一方側の面）と第１ホルダ３１との間に、比較的硬い接着剤３６ｄ（第１の接着剤）が介在する。また、レンズ３５ｃ（第１のレンズ）の面のうちレンズ３５ｄ（第２のレンズ）から遠い側の面（他方側の面）と第１ホルダ３１との間に、比較的軟らかい接着剤３６ｃ（第２の接着剤）が介在する。
【００８３】
このように、弾性率の異なる接着剤３６ｃ、３６ｄをレンズ３５ｃのどちら側の面に付けるかで、レンズ３５ｃの温度変化による変形を調整でき、ひいては、レンズ間距離ｄを調整できる。したがって、接着剤３６ｃ、３６ｄをレンズ３５ｃのどちら側の面に付けるかを適切に設定することで、温度変化に伴うレンズ３５ｃ、３５ｄの屈折率の変化が焦点距離ｆの変化に及ぼす影響と、温度変化に伴うレンズ３５ｃの変形が焦点距離ｆの変化に及ぼす影響とを、逆にすることができる。その結果、温度変化に伴う焦点距離ｆの変動量が低減される。
【００８４】
また、このように、レンズ３５ｃ、３５ｄの温度変化による屈折率変化を補償しながらも、その補償の手段として用いるのは、補償のためでなくとも通常も用いられる接着剤なので、レンズモジュール４０および撮像装置１の部品点数の増加を抑えることができる。
【００８５】
（第３実施形態）
次に、本発明の第３実施形態について、図９Ａ〜図９Ｃを参照して説明する。本実施形態は、第１実施形態について、以下のような変更を適用したものである。まず、組み合わせレンズを構成する被写体側レンズ３５ａおよび結像側レンズ３５ｂを、それぞれ被写体側レンズ３５ｅ、結像側レンズ３５ｆに置き換えている。また、被写体側接着剤３６ａおよび結像側接着剤３６ｂを、被写体側接着剤３６ｅおよび結像側接着剤３６ｆに置き換えている。また、第１、結像側接着剤３６ｅ、３６ｆの使用対象が、被写体側レンズ３５ｅではなく結像側接着剤３６ｆである。他の構成については、第１実施形態と同じである。
【００８６】
なお、第１ホルダ３１、被写体側レンズ３５ｅ、結像側レンズ３５ｆ、被写体側接着剤３６ｅ、結像側接着剤３６ｆが、レンズモジュール４０を構成する。また、被写体側レンズ３５ｅが第２のレンズの一例に相当し、結像側レンズ３５ｆが第１のレンズの一例に相当し、被写体側接着剤３６ｅが第２の接着剤の一例に相当し、結像側接着剤３６ｆが第１の接着剤の一例に相当する。
【００８７】
本実施形態では、被写体側レンズ３５ｅは、ガラス製のレンズであり、結像側レンズ３５ｆは、樹脂製のレンズである。しかし、第１、結像側レンズの材質は、上記のものに限定されるわけではない。
【００８８】
これら２つのレンズ３５ｅ、３５ｆは、１つの組み合わせレンズを構成し、被写体側レンズ３５ｅよりも結像側レンズ３５ｆが組み合わせレンズの結像側に、すなわち、固体撮像素子３３ａ側に、配置される。
【００８９】
被写体側接着剤３６ｅは、結像側接着剤３６ｆの被写体側（図９Ａ〜図９Ｃ中の左側）の面の周縁部と第２内フランジ３１ｄとの間に介在して結像側レンズ３５ｆを第２内フランジ３１ｄに接着させている。また、結像側接着剤３６ｆが、結像側レンズ３５ｆの結像側（固体撮像素子３３ａ側）の面の周縁部と第３内フランジ３１ｅとの間に介在して結像側レンズ３５ｆを第３内フランジ３１ｅに接着させている。なお、ここでいう結像側は、組み合わせレンズ３５ｅ、３５ｆの結像側（図９Ａ〜図９Ｃ中の右側）である。
【００９０】
被写体側接着剤３６ｅとしては、例えば、シリコンゴム系接着剤を用いる。ただし、シリコンゴム系接着剤の中でも、弾性率（例えばヤング率。以下同じ。）が結像側レンズ３５ｆの弾性率よりも小さいものを用いる。また、被写体側接着剤３６ｅとしては、シリコンゴム系接着剤でなくとも、弾性率が結像側レンズ３５ｆの弾性率よりも小さければよい。なお、被写体側接着剤３６ｅの弾性率が結像側レンズ３５ｆの弾性率よりも小さいので、被写体側接着剤３６ｅの線膨張率は結像側レンズ３５ｆの線膨張率よりも大きい。
【００９１】
結像側接着剤３６ｆとしては、例えば、エポキシ樹脂系接着剤を用いる。ただし、エポキシ樹脂系接着剤の中でも、弾性率が結像側レンズ３５ｆの弾性率よりも大きいものを用いる。また、結像側接着剤３６ｆとしては、エポキシ樹脂系接着剤でなくとも、弾性率が結像側レンズ３５ｆの弾性率よりも大きければよい。なお、結像側接着剤３６ｆの弾性率が結像側レンズ３５ｆの弾性率よりも大きいので、結像側接着剤３６ｆの線膨張率は結像側レンズ３５ｆの線膨張率よりも小さい。
【００９２】
このように、結像側レンズ３５ｆは、被写体側の面が被写体側接着剤３６ｅによって第２内フランジ３１ｄに接着され、結像側（固体撮像素子３３ａ側）の面が結像側接着剤３６ｆによって第３内フランジ３１ｅに接着される。
【００９３】
また、被写体側レンズ３５ｅについては、被写体側の面の周縁部と第１内フランジ３１ｃとの間に介在する接着剤も、結像側（固体撮像素子３３ａ側）の面の周縁部と第２内フランジ３１ｄとの間に介在する接着剤も、同じ材質および弾性率の接着剤が用いられる。
【００９４】
このように、被写体側レンズ３５ｅは、被写体側の面が或る接着剤によって第１内フランジ３１ｃに接着され、結像側の面も同じ接着剤によって第２内フランジ３１ｄに接着される。
【００９５】
ここで、被写体側レンズ３５ｅ、結像側レンズ３５ｆの光学特性について説明する。被写体側レンズ３５ｅの焦点距離をｆ１とし、結像側レンズ３５ｆの焦点距離をｆ２とし、被写体側レンズ３５ｅと結像側レンズ３５ｆの間の距離（以下、レンズ間距離という）をｄとすると、上記組み合わせレンズの焦点距離ｆは、以下の式に従う。
ｆ＝ｆ１×ｆ２／（ｆ１＋ｆ２−ｄ）
そして、本実施形態においては、ｆ１×ｆ２が負となる。これは、被写体側レンズ３５ｅが凸レンズなので焦点距離ｆ１が正であり、結像側レンズ３５ｆが凹レンズなので焦点距離ｆ２が負だからである。このｆ１×ｆ２＜０の関係は、第１実施形態と同じ動作温度範囲内で常に成立する。また、本実施形態においては、上記動作温度範囲内で、ｆ１＋ｆ２−ｄが常に負となる。このようになっていることで、上記動作温度範囲内で、組み合わせレンズ３５ｅ、３５ｆの焦点距離ｆが正になる。
【００９６】
なお、組み合わせレンズの焦点は、被写体側レンズ３５ｅ、結像側レンズ３５ｆの温度が所定の常温Ｔ１（例えば２０℃）において固体撮像素子３３ａの位置と一致するよう、あらかじめ調整されている。ここで、被写体側レンズ３５ｅ、結像側レンズ３５ｆの温度が所定の常温Ｔ１である場合のレンズ間距離ｄはｄ＿Ｔ１であるとする。
【００９７】
ここで、被写体側レンズ３５ｅ、結像側レンズ３５ｆの温度が所定の常温Ｔ１よりも上昇した場合について説明する。この場合、温度が上昇することに伴う被写体側レンズ３５ｅおよび結像側レンズ３５ｆの屈折率の変化は、組み合わせレンズの焦点距離ｆを短くする方向に働く。より具体的に説明すると、以下の通りである。
【００９８】
常温Ｔ１において組み合わせレンズ３５ｅ、３５ｆの焦点距離ｆがｆ＿Ｔ１であり、上昇後の高温Ｔ２（例えば１００℃）において焦点距離ｆ１がｆ１＿Ｔ２であり、焦点距離ｆ２がｆ２＿Ｔ２であるとする。この場合、
ｆ＿Ｔ１＞ｆ１＿Ｔ２×ｆ２＿Ｔ２／（ｆ１＿Ｔ２＋ｆ２＿Ｔ２−ｄ＿Ｔ１）
という関係が成立する。なお、右辺では、分母のｄ＿Ｔ１が常温Ｔ１時の距離ｄとなっているので、右辺全体は高温Ｔ２時における組み合わせレンズの焦点距離ｆとは異なる。つまり、レンズ間距離ｄが常温Ｔ１時も高温Ｔ２時も変化せず同じであると仮定すれば、レンズ３５ｅ、３５ｆの屈折率の変化によって、組み合わせレンズの焦点距離ｆが短くなる。
【００９９】
なお、本実施形態を含め一般的にレンズの屈折率は上記動作温度範囲を含む広い温度範囲で概ね温度の一次関数となるので、上記のことは、高温Ｔ２がどの温度でも同じように成り立つ。更には、レンズ３５ｅ、３５ｆの温度が所定の常温Ｔ１よりも下降して低温Ｔ３になった場合も、上記と逆のことが言える。ここで、低温Ｔ３は、−４０℃でもよいし他の温度でもよい。
【０１００】
つまり、温度が下降することに伴う被写体側レンズ３５ｅおよび結像側レンズ３５ｆの屈折率の変化は、組み合わせレンズの焦点距離ｆを長くする方向に働く。すなわち、下降後の低温Ｔ３において焦点距離ｆ１がｆ１＿Ｔ３であり、焦点距離ｆ２がｆ２＿Ｔ３であるとした場合、
ｆ＿Ｔ１＜ｆ１＿Ｔ３×ｆ３＿Ｔ３／（ｆ１＿Ｔ３＋ｆ２＿Ｔ３−ｄ＿Ｔ１）
という関係が成立する。つまり、レンズ間距離ｄが常温Ｔ１時も低温Ｔ３時も変化せず同じであると仮定すれば、レンズ３５ｅ、３５ｆの屈折率の変化によって、組み合わせレンズの焦点距離ｆが長くなる。
【０１０１】
温度変化によって上記のような屈折率変化および焦点距離変化を示す組み合わせレンズ３５ｅ、３５ｆとしては、例えば、以下の条件（Ａ）、（Ｂ）、（Ｃ）のすべてを満たすものがある。
（Ａ）温度変化による屈折率変化量およびそれに起因する焦点距離変化量が、被写体側レンズ３５ｅよりも結像側レンズ３５ｆの方が遙かに大きい。
（Ｂ）焦点距離ｆ２の絶対値は、温度が上昇して屈折率が変化することで長くなり、温度が下降して屈折率が変化することで短くなる。
（Ｃ）焦点距離ｆ１は、上記動作温度範囲内において、常にレンズ間距離ｄより長い。
上記（Ｂ）のような特徴を有する樹脂レンズとしては、シクロオレフィンポリマー樹脂がある。
【０１０２】
以下、上記のような構成の組み合わせレンズ３５ｅ、３５ｆにおける、温度変化に伴う焦点距離ｆの変化について説明する。組み合わせレンズ３５ｅ、３５ｆが常温Ｔ１の場合、図９Ａに示すように、レンズ間距離ｄはｄ＿Ｔ１であり、すでに説明した通り、このとき、組み合わせレンズ３５ｅ、３５ｆの焦点は固体撮像素子３３ａの位置と一致する。
【０１０３】
また、組み合わせレンズ３５ｅ、３５ｆの温度が高温Ｔ２に上昇した場合、図９Ｂに示すように結像側レンズ３５ｆの形状が変化する。具体的には、被写体側接着剤３６ｅが結像側レンズ３５ｆよりも弾性率が低く（すなわち軟らかく）、結像側接着剤３６ｆが結像側レンズ３５ｆよりも弾性率が高い（すなわち硬い）。したがって、結像側レンズ３５ｆのうち、被写体側接着剤３６ｅと接触している面およびその近傍に比べ、結像側接着剤３６ｆと接触している面およびその近傍の方が、温度上昇による変形量（より具体的には膨張量）が小さくなる。つまり、接着剤３６ｅ、３６ｆの弾性率の違いにより、結像側レンズ３５ｆが、結像側接着剤３６ｆ側よりも被写体側接着剤３６ｅ側でより自由に変形する。
【０１０４】
その結果、結像側レンズ３５ｆが反るように変形することで、結像側レンズ３５ｆの中央部が被写体側接着剤３６ｅ側に、すなわち、被写体側レンズ３５ｅに近づく方向に、移動する。これにより、レンズ間距離ｄが、ｄ＿Ｔ１よりも短いｄ＿Ｔ２となる。このように、組み合わせレンズ３５ｅ、３５ｆの温度が上昇するほど、レンズ間距離ｄが短くなる。
【０１０５】
また、組み合わせレンズ３５ｅ、３５ｆの温度が常温Ｔ１から低温Ｔ３に下降した場合、図９Ｃに示すように結像側レンズ３５ｆの形状が変化する。具体的には、結像側レンズ３５ｆのうち、結像側接着剤３６ｆと接触している面およびその近傍に比べ、被写体側接着剤３６ｅと接触している面およびその近傍の方が、温度下降による変形量（より具体的には収縮量）が大きくなる。
【０１０６】
その結果、結像側レンズ３５ｆが反るように変形することで、結像側レンズ３５ｆの中央部が結像側接着剤３６ｆ側に、すなわち、被写体側レンズ３５ｅから遠ざかる方向に、移動する。これにより、レンズ間距離ｄが、ｄ＿Ｔ１よりも長いｄ＿Ｔ３となる。このように、組み合わせレンズ３５ｅ、３５ｆの温度が下降するほど、レンズ間距離ｄが長くなる。
【０１０７】
なお、被写体側レンズ３５ｅについては、第１内フランジ３１ｃ、第２内フランジ３１ｄへの接着に用いられる接着剤に特性の違いが無いので、仮に被写体側レンズ３５ｅが熱により変形したとしても、その変形は、レンズ間距離ｄの変動に実質的に寄与しない。また、被写体側レンズ３５ｅがガラス製のレンズであれば、そもそも温度変化による変形量が樹脂レンズである結像側レンズ３５ｆに比べて遙かに小さい。
【０１０８】
上述の通り、組み合わせレンズ３５ｅ、３５ｆの焦点距離ｆは、
ｆ＝ｆ１×ｆ２／（ｆ１＋ｆ２−ｄ）
という式によって得られる。そして、本実施形態においては右辺の分子も分母も負なので、レンズ間距離ｄが短くなるほど、焦点距離ｆが長くなる。したがって、温度が上昇してレンズ間距離ｄが短くなることは、組み合わせレンズ３５ｅ、３５ｆの焦点距離ｆを長くする方向に働く。また、温度が下降してレンズ間距離ｄが長くなることは、組み合わせレンズ３５ｅ、３５ｆの焦点距離ｆを短くする方向に働く。
【０１０９】
このように、温度の上昇に起因する第１、結像側レンズ３５ｅ、３５ｆの屈折率の変化が、組み合わせレンズ３５ｅ、３５ｆの焦点距離ｆを短くする方向に働いても、結像側レンズ３５ｆの変形が逆に焦点距離ｆを長くする方向に働く。
【０１１０】
また、温度の下降に起因する第１、結像側レンズ３５ｅ、３５ｆの屈折率の変化が、組み合わせレンズ３５ｅ、３５ｆの焦点距離ｆを長くする方向に働いても、結像側レンズ３５ｆの変形が逆に焦点距離ｆを短くする方向に働く。
【０１１１】
つまり、両者の働きが相殺される関係にある。結果として、温度の上昇および下降に伴う組み合わせレンズ３５ｅ、３５ｆの焦点距離ｆの変動量が低減され、組み合わせレンズ３５ｅ、３５ｆの焦点と固体撮像素子３３ａとの位置ずれ量が低減される。
【０１１２】
以上説明した通り、レンズ３５ｆ（第１のレンズ）の面のうちレンズ３５ｅ（第２のレンズ）から遠い側の面（一方側の面）と第１ホルダ３１との間に、比較的硬い接着剤３６ｆ（第１の接着剤）が介在する。また、レンズ３５ｆ（第１のレンズ）の面のうちレンズ３５ｅ（第２のレンズ）に近い側の面（他方側の面）と第１ホルダ３１との間に、比較的軟らかい接着剤３６ｅ（第２の接着剤）が介在する。
【０１１３】
このように、弾性率の異なる接着剤３６ｅ、３６ｆをレンズ３５ｆのどちら側の面に付けるかで、レンズ３５ｆの温度変化による変形を調整でき、ひいては、レンズ間距離ｄを調整できる。したがって、接着剤３６ｅ、３６ｆをレンズ３５ｆのどちら側の面に付けるかを適切に設定することで、温度変化に伴うレンズ３５ｅ、３５ｆの屈折率の変化が焦点距離ｆの変化に及ぼす影響と、温度変化に伴うレンズ３５ｆの変形が焦点距離ｆの変化に及ぼす影響とを、逆にすることができる。その結果、温度変化に伴う焦点距離ｆの変動量が低減される。
【０１１４】
また、このように、レンズ３５ｅ、３５ｆの温度変化による屈折率変化を補償しながらも、その補償の手段として用いるのは、補償のためでなくとも通常も用いられる接着剤なので、レンズモジュール４０および撮像装置１の部品点数の増加を抑えることができる。
【０１１５】
（第４実施形態）
次に、本発明の第４実施形態について、図１０Ａ〜図１０Ｃを参照して説明する。本実施形態は、第１実施形態について、以下のような変更を適用したものである。まず、組み合わせレンズを構成する被写体側レンズ３５ａおよび結像側レンズ３５ｂを、それぞれ被写体側レンズ３５ｇ、結像側レンズ３５ｈに置き換えている。また、被写体側接着剤３６ａおよび結像側接着剤３６ｂを、被写体側接着剤３６ｇおよび結像側接着剤３６ｈに置き換えている。また、第１、結像側接着剤３６ｇ、３６ｈの使用対象が、被写体側レンズ３５ｇではなく結像側接着剤３６ｈである。他の構成については、第１実施形態と同じである。
【０１１６】
なお、第１ホルダ３１、被写体側レンズ３５ｇ、結像側レンズ３５ｈ、被写体側接着剤３６ｇ、結像側接着剤３６ｈが、レンズモジュール４０を構成する。また、被写体側レンズ３５ｇが第２のレンズの一例に相当し、結像側レンズ３５ｈが第１のレンズの一例に相当し、被写体側接着剤３６ｇが第１の接着剤の一例に相当し、結像側接着剤３６ｈが第２の接着剤の一例に相当する。
【０１１７】
本実施形態では、被写体側レンズ３５ｇは、ガラス製のレンズであり、結像側レンズ３５ｈは、樹脂製のレンズである。しかし、第１、結像側レンズの材質は、上記のものに限定されるわけではない。
【０１１８】
これら２つのレンズ３５ｇ、３５ｈは、１つの組み合わせレンズを構成し、被写体側レンズ３５ｇよりも結像側レンズ３５ｈが組み合わせレンズの結像側に、すなわち、固体撮像素子３３ａ側に、配置される。
【０１１９】
被写体側接着剤３６ｇは、結像側接着剤３６ｈの被写体側（図１０Ａ〜図１０Ｃ中の左側）の面の周縁部と第２内フランジ３１ｄとの間に介在して結像側レンズ３５ｈを第２内フランジ３１ｄに接着させている。また、結像側接着剤３６ｈが、結像側レンズ３５ｈの結像側（固体撮像素子３３ａ側）の面の周縁部と第３内フランジ３１ｅとの間に介在して結像側レンズ３５ｈを第３内フランジ３１ｅに接着させている。なお、ここでいう結像側は、組み合わせレンズ３５ｇ、３５ｈの結像側（図１０Ａ〜図１０Ｃ中の右側）である。
【０１２０】
被写体側接着剤３６ｇとしては、例えば、エポキシ樹脂系接着剤を用いる。ただし、エポキシ樹脂系接着剤の中でも、弾性率（例えばヤング率。以下同じ。）が結像側レンズ３５ｈの弾性率よりも大きいものを用いる。また、被写体側接着剤３６ｇとしては、エポキシ樹脂系接着剤でなくとも、弾性率が結像側レンズ３５ｈの弾性率よりも大きければよい。なお、被写体側接着剤３６ｇの弾性率が結像側レンズ３５ｈの弾性率よりも大きいので、被写体側接着剤３６ｇの線膨張率は結像側レンズ３５ｈの線膨張率よりも小さい。
【０１２１】
結像側接着剤３６ｈとしては、例えば、シリコンゴム系接着剤を用いる。ただし、シリコンゴム系接着剤の中でも、弾性率が結像側レンズ３５ｈの弾性率よりも小さいものを用いる。また、結像側接着剤３６ｈとしては、シリコンゴム系接着剤でなくとも、弾性率が結像側レンズ３５ｈの弾性率よりも小さければよい。なお、結像側接着剤３６ｈの弾性率が結像側レンズ３５ｈの弾性率よりも小さいので、結像側接着剤３６ｈの線膨張率は結像側レンズ３５ｇの線膨張率よりも大きい。
【０１２２】
このように、結像側レンズ３５ｈは、被写体側の面が被写体側接着剤３６ｇによって第２内フランジ３１ｄに接着され、結像側（固体撮像素子３３ａ側）の面が結像側接着剤３６ｈによって第３内フランジ３１ｅに接着される。
【０１２３】
また、被写体側レンズ３５ｇについては、被写体側の面の周縁部と第１内フランジ３１ｃとの間に介在する接着剤も、結像側（固体撮像素子３３ａ側）の面の周縁部と第２内フランジ３１ｄとの間に介在する接着剤も、同じ材質および弾性率の接着剤が用いられる。
【０１２４】
このように、被写体側レンズ３５ｇは、被写体側の面が或る接着剤によって第１内フランジ３１ｃに接着され、結像側の面も同じ接着剤によって第２内フランジ３１ｄに接着される。
【０１２５】
ここで、被写体側レンズ３５ｇ、結像側レンズ３５ｈの光学特性について説明する。被写体側レンズ３５ｇの焦点距離をｆ１とし、結像側レンズ３５ｈの焦点距離をｆ２とし、被写体側レンズ３５ｇと結像側レンズ３５ｈの間の距離（以下、レンズ間距離という）をｄとすると、上記組み合わせレンズの焦点距離ｆは、以下の式に従う。
ｆ＝ｆ１×ｆ２／（ｆ１＋ｆ２−ｄ）
そして、本実施形態においては、ｆ１×ｆ２が負となる。これは、被写体側レンズ３５ｇが凸レンズなので焦点距離ｆ１が正であり、結像側レンズ３５ｈが凹レンズなので焦点距離ｆ２が負だからである。このｆ１×ｆ２＜０の関係は、第１実施形態と同じ動作温度範囲内で常に成立する。また、本実施形態においては、上記動作温度範囲内で、ｆ１＋ｆ２−ｄが常に負となる。このようになっていることで、上記動作温度範囲内で、組み合わせレンズ３５ｇ、３５ｈの焦点距離ｆが正になる。
【０１２６】
なお、組み合わせレンズの焦点は、被写体側レンズ３５ｇ、結像側レンズ３５ｈの温度が所定の常温Ｔ１（例えば２０℃）において固体撮像素子３３ａの位置と一致するよう、あらかじめ調整されている。ここで、被写体側レンズ３５ｇ、結像側レンズ３５ｈの温度が所定の常温Ｔ１である場合のレンズ間距離ｄはｄ＿Ｔ１であるとする。
【０１２７】
ここで、被写体側レンズ３５ｇ、結像側レンズ３５ｈの温度が所定の常温Ｔ１よりも上昇した場合について説明する。この場合、温度が上昇することに伴う被写体側レンズ３５ｇおよび結像側レンズ３５ｈの屈折率の変化は、組み合わせレンズの焦点距離ｆを長くする方向に働く。より具体的に説明すると、以下の通りである。
【０１２８】
常温Ｔ１において組み合わせレンズ３５ｇ、３５ｈの焦点距離ｆがｆ＿Ｔ１であり、上昇後の高温Ｔ２（例えば１００℃）において焦点距離ｆ１がｆ１＿Ｔ２であり、焦点距離ｆ２がｆ２＿Ｔ２であるとする。この場合、
ｆ＿Ｔ１＜ｆ１＿Ｔ２×ｆ２＿Ｔ２／（ｆ１＿Ｔ２＋ｆ２＿Ｔ２−ｄ＿Ｔ１）
という関係が成立する。なお、右辺では、分母のｄ＿Ｔ１が常温Ｔ１時の距離ｄとなっているので、右辺全体は高温Ｔ２時における組み合わせレンズの焦点距離ｆとは異なる。つまり、レンズ間距離ｄが常温Ｔ１時も高温Ｔ２時も変化せず同じであると仮定すれば、レンズ３５ｇ、３５ｈの屈折率の変化によって、組み合わせレンズの焦点距離ｆが長くなる。
【０１２９】
なお、本実施形態を含め一般的にレンズの屈折率は上記動作温度範囲を含む広い温度範囲で概ね温度の一次関数となるので、上記のことは、高温Ｔ２がどの温度でも同じように成り立つ。更には、レンズ３５ｇ、３５ｈの温度が所定の常温Ｔ１よりも下降して低温Ｔ３になった場合も、上記と逆のことが言える。ここで、低温Ｔ３は、−４０℃でもよいし他の温度でもよい。
【０１３０】
つまり、温度が下降することに伴う被写体側レンズ３５ｇおよび結像側レンズ３５ｈの屈折率の変化は、組み合わせレンズの焦点距離ｆを短くする方向に働く。すなわち、下降後の低温Ｔ３において焦点距離ｆ１がｆ１＿Ｔ３であり、焦点距離ｆ２がｆ２＿Ｔ３であるとした場合、
ｆ＿Ｔ１＞ｆ１＿Ｔ３×ｆ３＿Ｔ３／（ｆ１＿Ｔ３＋ｆ２＿Ｔ３−ｄ＿Ｔ１）
という関係が成立する。つまり、レンズ間距離ｄが常温Ｔ１時も低温Ｔ３時も変化せず同じであると仮定すれば、レンズ３５ｇ、３５ｈの屈折率の変化によって、組み合わせレンズの焦点距離ｆが短くなる。
【０１３１】
温度変化によって上記のような屈折率変化および焦点距離変化を示す組み合わせレンズ３５ｇ、３５ｈとしては、例えば、以下の条件（Ａ）、（Ｂ）、（Ｃ）のすべてを満たすものがある。
（Ａ）温度変化による屈折率変化量およびそれに起因する焦点距離変化量が、被写体側レンズ３５ｇよりも結像側レンズ３５ｈの方が遙かに大きい。
（Ｂ）焦点距離ｆ２の絶対値は、温度が上昇して屈折率が変化することで短くなり、温度が下降して屈折率が変化することで長くなる。
（Ｃ）焦点距離ｆ１は、上記動作温度範囲内において、常にレンズ間距離ｄより長い。
上記（Ｂ）のような特徴を有する樹脂レンズとしては、シクロオレフィンポリマー樹脂がある。
【０１３２】
以下、上記のような構成の組み合わせレンズ３５ｇ、３５ｈにおける、温度変化に伴う焦点距離ｆの変化について説明する。組み合わせレンズ３５ｇ、３５ｈが常温Ｔ１の場合、図１０Ａに示すように、レンズ間距離ｄはｄ＿Ｔ１であり、すでに説明した通り、このとき、組み合わせレンズ３５ｇ、３５ｈの焦点は固体撮像素子３３ａの位置と一致する。
【０１３３】
また、組み合わせレンズ３５ｇ、３５ｈの温度が高温Ｔ２に上昇した場合、図１０Ｂに示すように結像側レンズ３５ｈの形状が変化する。具体的には、被写体側接着剤３６ｇが結像側レンズ３５ｈよりも弾性率が高く（すなわち硬く）、結像側接着剤３６ｈが結像側レンズ３５ｈよりも弾性率が低い（すなわち軟らかい）。したがって、結像側レンズ３５ｈのうち、被写体側接着剤３６ｇと接触している面およびその近傍に比べ、結像側接着剤３６ｈと接触している面およびその近傍の方が、温度上昇による変形量（より具体的には膨張量）が大きくなる。つまり、接着剤３６ｇ、３６ｈの弾性率の違いにより、結像側レンズ３５ｈが、被写体側接着剤３６ｇ側よりも結像側接着剤３６ｈ側でより自由に変形する。
【０１３４】
その結果、結像側レンズ３５ｇが反るように変形することで、結像側レンズ３５ｇの中央部が結像側接着剤３６ｈ側に、すなわち、被写体側レンズ３５ｇから遠ざかる方向に、移動する。これにより、レンズ間距離ｄが、ｄ＿Ｔ１よりも長いｄ＿Ｔ２となる。このように、組み合わせレンズ３５ｇ、３５ｈの温度が上昇するほど、レンズ間距離ｄが長くなる。
【０１３５】
また、組み合わせレンズ３５ｇ、３５ｈの温度が常温Ｔ１から低温Ｔ３に下降した場合、図１０Ｃに示すように結像側レンズ３５ｈの形状が変化する。具体的には、結像側レンズ３５ｈのうち、結像側接着剤３６ｈと接触している面およびその近傍に比べ、被写体側接着剤３６ｇと接触している面およびその近傍の方が、温度下降による変形量（より具体的には収縮量）が小さくなる。
【０１３６】
その結果、結像側レンズ３５ｈが反るように変形することで、結像側レンズ３５ｈの中央部が被写体側接着剤３６ｇ側に、すなわち、被写体側レンズ３５ｇに近づく方向に、移動する。これにより、レンズ間距離ｄが、ｄ＿Ｔ１よりも短いｄ＿Ｔ３となる。このように、組み合わせレンズ３５ｇ、３５ｈの温度が下降するほど、レンズ間距離ｄが短くなる。
【０１３７】
なお、被写体側レンズ３５ｇについては、第１内フランジ３１ｃ、第２内フランジ３１ｄへの接着に用いられる接着剤に特性の違いが無いので、仮に被写体側レンズ３５ｇが熱により変形したとしても、その変形は、レンズ間距離ｄの変動に実質的に寄与しない。また、被写体側レンズ３５ｇがガラス製のレンズであれば、そもそも温度変化による変形量が樹脂レンズである結像側レンズ３５ｈに比べて遙かに小さい。
【０１３８】
上述の通り、組み合わせレンズ３５ｇ、３５ｈの焦点距離ｆは、
ｆ＝ｆ１×ｆ２／（ｆ１＋ｆ２−ｄ）
という式によって得られる。そして、本実施形態においては右辺の分子も分母も負なので、レンズ間距離ｄが短くなるほど、焦点距離ｆが長くなる。したがって、温度が上昇してレンズ間距離ｄが長くなることは、組み合わせレンズ３５ｇ、３５ｈの焦点距離ｆを短くする方向に働く。また、温度が下降してレンズ間距離ｄが短くなることは、組み合わせレンズ３５ｇ、３５ｈの焦点距離ｆを長くする方向に働く。
【０１３９】
このように、温度の上昇に起因する第１、結像側レンズ３５ｇ、３５ｈの屈折率の変化が、組み合わせレンズ３５ｇ、３５ｈの焦点距離ｆを長くする方向に働いても、結像側レンズ３５ｈの変形が逆に焦点距離ｆを短くする方向に働く。
【０１４０】
また、温度の下降に起因する第１、結像側レンズ３５ｇ、３５ｈの屈折率の変化が、組み合わせレンズ３５ｇ、３５ｈの焦点距離ｆを短くする方向に働いても、結像側レンズ３５ｈの変形が逆に焦点距離ｆを長くする方向に働く。
【０１４１】
つまり、両者の働きが相殺される関係にある。結果として、温度の上昇および下降に伴う組み合わせレンズ３５ｇ、３５ｈの焦点距離ｆの変動量が低減され、組み合わせレンズ３５ｇ、３５ｈの焦点と固体撮像素子３３ａとの位置ずれ量が低減される。
【０１４２】
以上説明した通り、レンズ３５ｈ（第１のレンズ）の面のうちレンズ３５ｇ（第２のレンズ）に近い側の面（一方側の面）と第１ホルダ３１との間に、比較的硬い接着剤３６ｇ（第１の接着剤）が介在する。また、レンズ３５ｈ（第１のレンズ）の面のうちレンズ３５ｇ（第２のレンズ）から遠い側の面（他方側の面）と第１ホルダ３１との間に、比較的軟らかい接着剤３６ｈ（第２の接着剤）が介在する。
【０１４３】
このように、弾性率の異なる接着剤３６ｇ、３６ｈをレンズ３５ｈのどちら側の面に付けるかで、レンズ３５ｈの温度変化による変形を調整でき、ひいては、レンズ間距離ｄを調整できる。したがって、接着剤３６ｇ、３６ｈをレンズ３５ｈのどちら側の面に付けるかを適切に設定することで、温度変化に伴うレンズ３５ｇ、３５ｈの屈折率の変化が焦点距離ｆの変化に及ぼす影響と、温度変化に伴うレンズ３５ｈの変形が焦点距離ｆの変化に及ぼす影響とを、逆にすることができる。その結果、温度変化に伴う焦点距離ｆの変動量が低減される。
【０１４４】
また、このように、レンズ３５ｇ、３５ｈの温度変化による屈折率変化を補償しながらも、その補償の手段として用いるのは、補償のためでなくとも通常も用いられる接着剤なので、レンズモジュール４０および撮像装置１の部品点数の増加を抑えることができる。
【０１４５】
（第５実施形態）
次に、本発明の第５実施形態について、図１１Ａ〜図１１Ｃを参照して説明する。本実施形態は、第１実施形態について、以下のような変更を適用したものである。まず、組み合わせレンズを構成する被写体側レンズ３５ａおよび結像側レンズ３５ｂを、それぞれ被写体側レンズ３５ｉ、結像側レンズ３５ｊに置き換えている。更に、被写体側接着剤３６ａ、結像側接着剤３６ｂを、それぞれ被写体側接着剤３６ｉ、結像側接着剤３６ｊに置き換えている。その他の構成は、第１実施形態と同じである。
【０１４６】
なお、第１ホルダ３１、被写体側レンズ３５ｉ、結像側レンズ３５ｊ、被写体側接着剤３６ｉ、結像側接着剤３６ｊが、レンズモジュール４０を構成する。また、被写体側レンズ３５ｉが第１のレンズの一例に相当し、結像側レンズ３５ｊが第２のレンズの一例に相当し、被写体側接着剤３６ｉが第２の接着剤の一例に相当し、結像側接着剤３６ｊが第１の接着剤の一例に相当する。
【０１４７】
本実施形態では、被写体側レンズ３５ｉは、樹脂製のレンズであり、結像側レンズ３５ｊは、ガラス製のレンズである。しかし、第１、結像側レンズの材質は、上記のものに限定されるわけではない。
【０１４８】
これら２つのレンズ３５ｉ、３５ｊは、１つの組み合わせレンズを構成し、被写体側レンズ３５ｉよりも結像側レンズ３５ｊが組み合わせレンズの結像側に、すなわち、固体撮像素子３３ａ側に、配置される。
【０１４９】
被写体側接着剤３６ｉは、被写体側レンズ３５ｉの被写体側（図１１Ａ〜図１１Ｃ中の左側）の面の周縁部と第１内フランジ３１ｃとの間に介在して被写体側レンズ３５ｉを第１内フランジ３１ｃに接着させている。また、結像側接着剤３６ｊが、被写体側レンズ３５ｉの結像側（固体撮像素子３３ａ側）の面の周縁部と第２内フランジ３１ｄとの間に介在して被写体側レンズ３５ｉを第２内フランジ３１ｄに接着させている。なお、ここでいう結像側は、組み合わせレンズ３５ｉ、３５ｊの結像側（図１１Ａ〜図１１Ｃ中の右側）である。
【０１５０】
被写体側接着剤３６ｉとしては、例えば、シリコンゴム系接着剤を用いる。ただし、シリコンゴム系接着剤の中でも、弾性率（例えばヤング率。以下同じ。）が被写体側レンズ３５ｉの弾性率よりも小さいものを用いる。また、被写体側接着剤３６ｉとしては、シリコンゴム系接着剤でなくとも、弾性率が被写体側レンズ３５ｉの弾性率よりも小さければよい。なお、被写体側接着剤３６ｉの弾性率が被写体側レンズ３５ｉの弾性率よりも小さいので、被写体側接着剤３６ｉの線膨張率は被写体側レンズ３５ｉの線膨張率よりも大きい。
【０１５１】
結像側接着剤３６ｊとしては、例えば、エポキシ樹脂系接着剤を用いる。ただし、エポキシ樹脂系接着剤の中でも、弾性率が被写体側レンズ３５ｉの弾性率よりも大きいものを用いる。また、結像側接着剤３６ｊとしては、エポキシ樹脂系接着剤でなくとも、弾性率が被写体側レンズ３５ｉの弾性率よりも大きければよい。なお、結像側接着剤３６ｊの弾性率が被写体側レンズ３５ｉの弾性率よりも大きいので、結像側接着剤３６ｊの線膨張率は被写体側レンズ３５ｉの線膨張率よりも小さい。
【０１５２】
このように、被写体側レンズ３５ｉは、被写体側の面が被写体側接着剤３６ｉによって第１内フランジ３１ｃに接着され、結像側（固体撮像素子３３ａ側）の面が結像側接着剤３６ｊによって第２内フランジ３１ｄに接着される。
【０１５３】
また、結像側レンズ３５ｊについては、被写体側の面の周縁部と第２内フランジ３１ｄとの間に介在する接着剤も、結像側（固体撮像素子３３ａ側）の面の周縁部と第３内フランジ３１ｅとの間に介在する接着剤も、同じ材質および弾性率の接着剤が用いられる。
【０１５４】
このように、結像側レンズ３５ｊは、被写体側の面が或る接着剤によって第２内フランジ３１ｄに接着され、結像側の面も同じ接着剤によって第３内フランジ３１ｅに接着される。
【０１５５】
ここで、被写体側レンズ３５ｉ、結像側レンズ３５ｊの光学特性について説明する。被写体側レンズ３５ｉの焦点距離をｆ１とし、結像側レンズ３５ｊの焦点距離をｆ２とし、被写体側レンズ３５ｉと結像側レンズ３５ｊの間の距離（以下、レンズ間距離という）をｄとすると、上記組み合わせレンズの焦点距離ｆは、以下の式に従う。
ｆ＝ｆ１×ｆ２／（ｆ１＋ｆ２−ｄ）
そして、本実施形態においては、ｆ１×ｆ２が正となる。これは、被写体側レンズ３５ｉも結像側レンズ３５ｊも凸レンズなので焦点距離ｆ１、ｆ２が共に正だからである。このｆ１×ｆ２＞０の関係は、第１実施形態と同じ動作温度範囲内で常に成立する。また、本実施形態においては、上記動作温度範囲内で、ｆ１＋ｆ２−ｄが常に正となる。このようになっていることで、上記動作温度範囲内で、組み合わせレンズ３５ｉ、３５ｊの焦点距離ｆが正になる。
【０１５６】
なお、組み合わせレンズの焦点は、被写体側レンズ３５ｉ、結像側レンズ３５ｊの温度が所定の常温Ｔ１（例えば２０℃）において固体撮像素子３３ａの位置と一致するよう、あらかじめ調整されている。ここで、被写体側レンズ３５ｉ、結像側レンズ３５ｊの温度が所定の常温Ｔ１である場合のレンズ間距離ｄはｄ＿Ｔ１であるとする。
【０１５７】
ここで、被写体側レンズ３５ｉ、結像側レンズ３５ｊの温度が所定の常温Ｔ１よりも上昇した場合について説明する。この場合、温度が上昇することに伴う被写体側レンズ３５ｉおよび結像側レンズ３５ｊの屈折率の変化は、組み合わせレンズの焦点距離ｆを短くする方向に働く。より具体的に説明すると、以下の通りである。
【０１５８】
常温Ｔ１において組み合わせレンズ３５ｉ、３５ｊの焦点距離ｆがｆ＿Ｔ１であり、上昇後の高温Ｔ２（例えば１００℃）において焦点距離ｆ１がｆ１＿Ｔ２であり、焦点距離ｆ２がｆ２＿Ｔ２であるとする。この場合、
ｆ＿Ｔ１＞ｆ１＿Ｔ２×ｆ２＿Ｔ２／（ｆ１＿Ｔ２＋ｆ２＿Ｔ２−ｄ＿Ｔ１）
という関係が成立する。なお、右辺では、分母のｄ＿Ｔ１が常温Ｔ１時の距離ｄとなっているので、右辺全体は高温Ｔ２時における組み合わせレンズの焦点距離ｆとは異なる。つまり、レンズ間距離ｄが常温Ｔ１時も高温Ｔ２時も変化せず同じであると仮定すれば、レンズ３５ｉ、３５ｊの屈折率の変化によって、組み合わせレンズの焦点距離ｆが短くなる。
【０１５９】
なお、本実施形態を含め一般的にレンズの屈折率は上記動作温度範囲を含む広い温度範囲で概ね温度の一次関数となるので、上記のことは、高温Ｔ２がどの温度でも同じように成り立つ。更には、レンズ３５ｉ、３５ｊの温度が所定の常温Ｔ１よりも下降して低温Ｔ３になった場合も、上記と逆のことが言える。ここで、低温Ｔ３は、−４０℃でもよいし他の温度でもよい。
【０１６０】
つまり、温度が下降することに伴う被写体側レンズ３５ｉおよび結像側レンズ３５ｊの屈折率の変化は、組み合わせレンズの焦点距離ｆを長くする方向に働く。すなわち、下降後の低温Ｔ３において焦点距離ｆ１がｆ１＿Ｔ３であり、焦点距離ｆ２がｆ２＿Ｔ３であるとした場合、
ｆ＿Ｔ１＜ｆ１＿Ｔ３×ｆ３＿Ｔ３／（ｆ１＿Ｔ３＋ｆ２＿Ｔ３−ｄ＿Ｔ１）
という関係が成立する。つまり、レンズ間距離ｄが常温Ｔ１時も低温Ｔ３時も変化せず同じであると仮定すれば、レンズ３５ｉ、３５ｊの屈折率の変化によって、組み合わせレンズの焦点距離ｆが長くなる。
【０１６１】
温度変化によって上記のような屈折率変化および焦点距離変化を示す組み合わせレンズ３５ｉ、３５ｊとしては、例えば、以下の条件（Ａ）、（Ｂ）、（Ｃ）のすべてを満たすものがある。
（Ａ）温度変化による屈折率変化量およびそれに起因する焦点距離変化量が、結像側レンズ３５ｊよりも被写体側レンズ３５ｉの方が遙かに大きい。
（Ｂ）焦点距離ｆ１は、温度が上昇して屈折率が変化することで短くなり、温度が下降して屈折率が変化することで長くなる。
（Ｃ）焦点距離ｆ２は、上記動作温度範囲内において、常にレンズ間距離ｄより長い。
上記（Ｂ）のような特徴を有する樹脂レンズとしては、シクロオレフィンポリマー樹脂がある。
【０１６２】
以下、上記のような構成の組み合わせレンズ３５ｉ、３５ｊにおける、温度変化に伴う焦点距離ｆの変化について説明する。組み合わせレンズ３５ｉ、３５ｊが常温Ｔ１の場合、図１１Ａに示すように、レンズ間距離ｄはｄ＿Ｔ１であり、すでに説明した通り、このとき、組み合わせレンズ３５ｉ、３５ｊの焦点は固体撮像素子３３ａの位置と一致する。
【０１６３】
また、組み合わせレンズ３５ｉ、３５ｊの温度が高温Ｔ２に上昇した場合、図１１Ｂに示すように被写体側レンズ３５ｉの形状が変化する。具体的には、被写体側接着剤３６ｉが被写体側レンズ３５ｉよりも弾性率が低く（すなわち軟らかく）、結像側接着剤３６ｊが被写体側レンズ３５ｉよりも弾性率が高い（すなわち硬い）。したがって、被写体側レンズ３５ｉのうち、被写体側接着剤３６ｉと接触している面およびその近傍に比べ、結像側接着剤３６ｊと接触している面およびその近傍の方が、温度上昇による変形量（より具体的には膨張量）が小さくなる。つまり、接着剤３６ｉ、３６ｊの弾性率の違いにより、被写体側レンズ３５ｉが、結像側接着剤３６ｊ側よりも被写体側接着剤３６ｉ側でより自由に変形する。
【０１６４】
その結果、被写体側レンズ３５ｉが反るように変形することで、被写体側レンズ３５ｉの中央部が被写体側接着剤３６ｉ側に、すなわち、結像側レンズ３５ｊから遠ざかる方向に、移動する。これにより、レンズ間距離ｄが、ｄ＿Ｔ１よりも長いｄ＿Ｔ２となる。このように、組み合わせレンズ３５ｉ、３５ｊの温度が上昇するほど、レンズ間距離ｄが長くなる。
【０１６５】
また、組み合わせレンズ３５ｉ、３５ｊの温度が常温Ｔ１から低温Ｔ３に下降した場合、図１１Ｃに示すように被写体側レンズ３５ｉの形状が変化する。具体的には、被写体側レンズ３５ｉのうち、結像側接着剤３６ｊと接触している面およびその近傍に比べ、被写体側接着剤３６ｉと接触している面およびその近傍の方が、温度下降による変形量（より具体的には収縮量）が大きくなる。
【０１６６】
その結果、被写体側レンズ３５ｉが反るように変形することで、被写体側レンズ３５ｉの中央部が結像側接着剤３６ｊ側に、すなわち、結像側レンズ３５ｊに近づく方向に、移動する。これにより、レンズ間距離ｄが、ｄ＿Ｔ１よりも短いｄ＿Ｔ３となる。このように、組み合わせレンズ３５ｉ、３５ｊの温度が下降するほど、レンズ間距離ｄが短くなる。
【０１６７】
なお、結像側レンズ３５ｊについては、第２内フランジ３１ｄ、第３内フランジ３１ｅへの接着に用いられる接着剤に特性の違いが無いので、仮に結像側レンズ３５ｊが熱により変形したとしても、その変形は、レンズ間距離ｄの変動に実質的に寄与しない。また、結像側レンズ３５ｊがガラス製のレンズであれば、そもそも温度変化による変形量が樹脂レンズである被写体側レンズ３５ｉに比べて遙かに小さい。
【０１６８】
上述の通り、組み合わせレンズ３５ｉ、３５ｊの焦点距離ｆは、
ｆ＝ｆ１×ｆ２／（ｆ１＋ｆ２−ｄ）
という式によって得られる。そして、本実施形態においては右辺の分子も分母も正なので、レンズ間距離ｄが短くなるほど、焦点距離ｆが短くなる。したがって、温度が上昇してレンズ間距離ｄが長くなることは、組み合わせレンズ３５ｉ、３５ｊの焦点距離ｆを長くする方向に働く。また、温度が下降してレンズ間距離ｄが短くなることは、組み合わせレンズ３５ｉ、３５ｊの焦点距離ｆを短くする方向に働く。
【０１６９】
このように、温度の上昇に起因する第１、結像側レンズ３５ｉ、３５ｊの屈折率の変化が、組み合わせレンズ３５ｉ、３５ｊの焦点距離ｆを短くする方向に働いても、被写体側レンズ３５ｉの変形が逆に焦点距離ｆを長くする方向に働く。
【０１７０】
また、温度の下降に起因する第１、結像側レンズ３５ｉ、３５ｊの屈折率の変化が、組み合わせレンズ３５ｉ、３５ｊの焦点距離ｆを長くする方向に働いても、被写体側レンズ３５ｉの変形が逆に焦点距離ｆを短くする方向に働く。
【０１７１】
つまり、両者の働きが相殺される関係にある。結果として、温度の上昇および下降に伴う組み合わせレンズ３５ｉ、３５ｊの焦点距離ｆの変動量が低減され、組み合わせレンズ３５ｉ、３５ｊの焦点と固体撮像素子３３ａとの位置ずれ量が低減される。
【０１７２】
以上説明した通り、レンズ３５ｉ（第１のレンズ）の面のうちレンズ３５ｊ（第２のレンズ）に近い側の面（一方側の面）と第１ホルダ３１との間に、比較的硬い接着剤３６ｊ（第１の接着剤）が介在する。また、レンズ３５ｉ（第１のレンズ）の面のうちレンズ３５ｊ（第２のレンズ）から遠い側の面（他方側の面）と第１ホルダ３１との間に、比較的軟らかい接着剤３６ｉ（第２の接着剤）が介在する。
【０１７３】
このように、弾性率の異なる接着剤３６ｉ、３６ｊをレンズ３５ｉのどちら側の面に付けるかで、レンズ３５ｉの温度変化による変形を調整でき、ひいては、レンズ間距離ｄを調整できる。したがって、接着剤３６ｉ、３６ｊをレンズ３５ｉのどちら側の面に付けるかを適切に設定することで、温度変化に伴うレンズ３５ｉ、３５ｊの屈折率の変化が焦点距離ｆの変化に及ぼす影響と、温度変化に伴うレンズ３５ｉの変形が焦点距離ｆの変化に及ぼす影響とを、逆にすることができる。その結果、温度変化に伴う焦点距離ｆの変動量が低減される。
【０１７４】
また、このように、レンズ３５ｉ、３５ｊの温度変化による屈折率変化を補償しながらも、その補償の手段として用いるのは、補償のためでなくとも通常も用いられる接着剤なので、レンズモジュール４０および撮像装置１の部品点数の増加を抑えることができる。
【０１７５】
（第６実施形態）
次に、本発明の第６実施形態について、図１２Ａ〜図１２Ｃを参照して説明する。本実施形態は、第１実施形態について、以下のような変更を適用したものである。まず、組み合わせレンズを構成する被写体側レンズ３５ａおよび結像側レンズ３５ｂを、それぞれ被写体側レンズ３５ｋ、結像側レンズ３５ｍに置き換えている。更に、被写体側接着剤３６ａ、結像側接着剤３６ｂを、それぞれ被写体側接着剤３６ｋ、結像側接着剤３６ｍに置き換えている。その他の構成は、第１実施形態と同じである。
【０１７６】
なお、第１ホルダ３１、被写体側レンズ３５ｋ、結像側レンズ３５ｍ、被写体側接着剤３６ｋ、結像側接着剤３６ｍが、レンズモジュール４０を構成する。また、被写体側レンズ３５ｋが第１のレンズの一例に相当し、結像側レンズ３５ｍが第２のレンズの一例に相当し、被写体側接着剤３６ｋが第１の接着剤の一例に相当し、結像側接着剤３６ｍが第２の接着剤の一例に相当する。
【０１７７】
本実施形態では、被写体側レンズ３５ｋは、樹脂製のレンズであり、結像側レンズ３５ｍは、ガラス製のレンズである。しかし、第１、結像側レンズの材質は、上記のものに限定されるわけではない。
【０１７８】
これら２つのレンズ３５ｋ、３５ｍは、１つの組み合わせレンズを構成し、被写体側レンズ３５ｋよりも結像側レンズ３５ｍが組み合わせレンズの結像側に、すなわち、固体撮像素子３３ａ側に、配置される。
【０１７９】
被写体側接着剤３６ｋは、被写体側レンズ３５ｋの被写体側（図１２Ａ〜図１２Ｃ中の左側）の面の周縁部と第１内フランジ３１ｃとの間に介在して被写体側レンズ３５ｋを第１内フランジ３１ｃに接着させている。また、結像側接着剤３６ｍが、被写体側レンズ３５ｋの結像側（固体撮像素子３３ａ側）の面の周縁部と第２内フランジ３１ｄとの間に介在して被写体側レンズ３５ｋを第２内フランジ３１ｄに接着させている。なお、ここでいう結像側は、組み合わせレンズ３５ｋ、３５ｍの結像側（図１２Ａ〜図１２Ｃ中の右側）である。
【０１８０】
被写体側接着剤３６ｋとしては、例えば、エポキシ樹脂系接着剤を用いる。ただし、エポキシ樹脂系接着剤の中でも、弾性率（例えばヤング率。以下同じ。）が被写体側レンズ３５ｋの弾性率よりも大きいものを用いる。また、被写体側接着剤３６ｋとしては、エポキシ樹脂系接着剤でなくとも、弾性率が被写体側レンズ３５ｋの弾性率よりも大きければよい。なお、被写体側接着剤３６ｋの弾性率が被写体側レンズ３５ｋの弾性率よりも大きいので、被写体側接着剤３６ｋの線膨張率は被写体側レンズ３５ｋの線膨張率よりも小さい。
【０１８１】
結像側接着剤３６ｍとしては、例えば、シリコンゴム系接着剤を用いる。ただし、シリコンゴム系接着剤の中でも、弾性率が被写体側レンズ３５ｋの弾性率よりも小さいものを用いる。また、結像側接着剤３６ｍとしては、シリコンゴム系接着剤でなくとも、弾性率が被写体側レンズ３５ｋの弾性率よりも小さければよい。なお、結像側接着剤３６ｍの弾性率が被写体側レンズ３５ｋの弾性率よりも小さいので、結像側接着剤３６ｍの線膨張率は被写体側レンズ３５ｋの線膨張率よりも大きい。
【０１８２】
このように、被写体側レンズ３５ｋは、被写体側の面が被写体側接着剤３６ｋによって第１内フランジ３１ｃに接着され、結像側（固体撮像素子３３ａ側）の面が結像側接着剤３６ｍによって第２内フランジ３１ｄに接着される。
【０１８３】
また、結像側レンズ３５ｍについては、被写体側の面の周縁部と第２内フランジ３１ｄとの間に介在する接着剤も、結像側（固体撮像素子３３ａ側）の面の周縁部と第３内フランジ３１ｅとの間に介在する接着剤も、同じ材質および弾性率の接着剤が用いられる。
【０１８４】
このように、結像側レンズ３５ｍは、被写体側の面が或る接着剤によって第２内フランジ３１ｄに接着され、結像側の面も同じ接着剤によって第３内フランジ３１ｅに接着される。
【０１８５】
ここで、被写体側レンズ３５ｋ、結像側レンズ３５ｍの光学特性について説明する。被写体側レンズ３５ｋの焦点距離をｆ１とし、結像側レンズ３５ｍの焦点距離をｆ２とし、被写体側レンズ３５ｋと結像側レンズ３５ｍの間の距離（以下、レンズ間距離という）をｄとすると、上記組み合わせレンズの焦点距離ｆは、以下の式に従う。
ｆ＝ｆ１×ｆ２／（ｆ１＋ｆ２−ｄ）
そして、本実施形態においては、ｆ１×ｆ２が正となる。これは、被写体側レンズ３５ｋも結像側レンズ３５ｍも凸レンズなので焦点距離ｆ１、ｆ２が共に正だからである。このｆ１×ｆ２＞０の関係は、第１実施形態と同じ動作温度範囲内で常に成立する。また、本実施形態においては、上記動作温度範囲内で、ｆ１＋ｆ２−ｄが常に正となる。このようになっていることで、上記動作温度範囲内で、組み合わせレンズ３５ｋ、３５ｍの焦点距離ｆが正になる。
【０１８６】
なお、組み合わせレンズの焦点は、被写体側レンズ３５ｋ、結像側レンズ３５ｍの温度が所定の常温Ｔ１（例えば２０℃）において固体撮像素子３３ａの位置と一致するよう、あらかじめ調整されている。ここで、被写体側レンズ３５ｋ、結像側レンズ３５ｍの温度が所定の常温Ｔ１である場合のレンズ間距離ｄはｄ＿Ｔ１であるとする。
【０１８７】
ここで、被写体側レンズ３５ｋ、結像側レンズ３５ｍの温度が所定の常温Ｔ１よりも上昇した場合について説明する。この場合、温度が上昇することに伴う被写体側レンズ３５ｋおよび結像側レンズ３５ｍの屈折率の変化は、組み合わせレンズの焦点距離ｆを長くする方向に働く。より具体的に説明すると、以下の通りである。
【０１８８】
常温Ｔ１において組み合わせレンズ３５ｋ、３５ｍの焦点距離ｆがｆ＿Ｔ１であり、上昇後の高温Ｔ２（例えば１００℃）において焦点距離ｆ１がｆ１＿Ｔ２であり、焦点距離ｆ２がｆ２＿Ｔ２であるとする。この場合、
ｆ＿Ｔ１＜ｆ１＿Ｔ２×ｆ２＿Ｔ２／（ｆ１＿Ｔ２＋ｆ２＿Ｔ２−ｄ＿Ｔ１）
という関係が成立する。なお、右辺では、分母のｄ＿Ｔ１が常温Ｔ１時の距離ｄとなっているので、右辺全体は高温Ｔ２時における組み合わせレンズの焦点距離ｆとは異なる。つまり、レンズ間距離ｄが常温Ｔ１時も高温Ｔ２時も変化せず同じであると仮定すれば、レンズ３５ｋ、３５ｍの屈折率の変化によって、組み合わせレンズの焦点距離ｆが長くなる。
【０１８９】
なお、本実施形態を含め一般的にレンズの屈折率は上記動作温度範囲を含む広い温度範囲で概ね温度の一次関数となるので、上記のことは、高温Ｔ２がどの温度でも同じように成り立つ。更には、レンズ３５ｋ、３５ｍの温度が所定の常温Ｔ１よりも下降して低温Ｔ３になった場合も、上記と逆のことが言える。ここで、低温Ｔ３は、−４０℃でもよいし他の温度でもよい。
【０１９０】
つまり、温度が下降することに伴う被写体側レンズ３５ｋおよび結像側レンズ３５ｍの屈折率の変化は、組み合わせレンズの焦点距離ｆを短くする方向に働く。すなわち、下降後の低温Ｔ３において焦点距離ｆ１がｆ１＿Ｔ３であり、焦点距離ｆ２がｆ２＿Ｔ３であるとした場合、
ｆ＿Ｔ１＞ｆ１＿Ｔ３×ｆ３＿Ｔ３／（ｆ１＿Ｔ３＋ｆ２＿Ｔ３−ｄ＿Ｔ１）
という関係が成立する。つまり、レンズ間距離ｄが常温Ｔ１時も低温Ｔ３時も変化せず同じであると仮定すれば、レンズ３５ｋ、３５ｍの屈折率の変化によって、組み合わせレンズの焦点距離ｆが短くなる。
【０１９１】
温度変化によって上記のような屈折率変化および焦点距離変化を示す組み合わせレンズ３５ｋ、３５ｍとしては、例えば、以下の条件（Ａ）、（Ｂ）、（Ｃ）のすべてを満たすものがある。
（Ａ）温度変化による屈折率変化量およびそれに起因する焦点距離変化量が、結像側レンズ３５ｍよりも被写体側レンズ３５ｋの方が遙かに大きい。
（Ｂ）焦点距離ｆ１は、温度が上昇して屈折率が変化することで長くなり、温度が下降して屈折率が変化することで短くなる。
（Ｃ）焦点距離ｆ２は、上記動作温度範囲内において、常にレンズ間距離ｄより長い。
上記（Ｂ）のような特徴を有する樹脂レンズとしては、シクロオレフィンポリマー樹脂がある。
【０１９２】
以下、上記のような構成の組み合わせレンズ３５ｋ、３５ｍにおける、温度変化に伴う焦点距離ｆの変化について説明する。組み合わせレンズ３５ｋ、３５ｍが常温Ｔ１の場合、図１２Ａに示すように、レンズ間距離ｄはｄ＿Ｔ１であり、すでに説明した通り、このとき、組み合わせレンズ３５ｋ、３５ｍの焦点は固体撮像素子３３ａの位置と一致する。
【０１９３】
また、組み合わせレンズ３５ｋ、３５ｍの温度が高温Ｔ２に上昇した場合、図１２Ｂに示すように被写体側レンズ３５ｋの形状が変化する。具体的には、被写体側接着剤３６ｋが被写体側レンズ３５ｋよりも弾性率が高く（すなわち硬く）、結像側接着剤３６ｍが被写体側レンズ３５ｋよりも弾性率が低い（すなわち軟らかい）。したがって、被写体側レンズ３５ｋのうち、被写体側接着剤３６ｋと接触している面およびその近傍に比べ、結像側接着剤３６ｍと接触している面およびその近傍の方が、温度上昇による変形量（より具体的には膨張量）が大きくなる。つまり、接着剤３６ｋ、３６ｍの弾性率の違いにより、被写体側レンズ３５ｋが、被写体側接着剤３６ｋ側よりも結像側接着剤３６ｍ側でより自由に変形する。
【０１９４】
その結果、被写体側レンズ３５ｋが反るように変形することで、被写体側レンズ３５ｋの中央部が結像側接着剤３６ｍ側に、すなわち、結像側レンズ３５ｍに近づく方向に、移動する。これにより、レンズ間距離ｄが、ｄ＿Ｔ１よりも短いｄ＿Ｔ２となる。このように、組み合わせレンズ３５ｋ、３５ｍの温度が上昇するほど、レンズ間距離ｄが短くなる。
【０１９５】
また、組み合わせレンズ３５ｋ、３５ｍの温度が常温Ｔ１から低温Ｔ３に下降した場合、図１２Ｃに示すように被写体側レンズ３５ｋの形状が変化する。具体的には、被写体側レンズ３５ｋのうち、被写体側接着剤３６ｋと接触している面およびその近傍に比べ、結像側接着剤３６ｍと接触している面およびその近傍の方が、温度下降による変形量（より具体的には収縮量）が大きくなる。
【０１９６】
その結果、被写体側レンズ３５ｋが反るように変形することで、被写体側レンズ３５ｋの中央部が被写体側接着剤３６ｋ側に、すなわち、結像側レンズ３５ｍから遠ざかる方向に、移動する。これにより、レンズ間距離ｄが、ｄ＿Ｔ１よりも長いｄ＿Ｔ３となる。このように、組み合わせレンズ３５ｋ、３５ｍの温度が下降するほど、レンズ間距離ｄが長くなる。
【０１９７】
なお、結像側レンズ３５ｍについては、第２内フランジ３１ｄ、第３内フランジ３１ｅへの接着に用いられる接着剤に特性の違いが無いので、仮に結像側レンズ３５ｍが熱により変形したとしても、その変形は、レンズ間距離ｄの変動に実質的に寄与しない。また、結像側レンズ３５ｍがガラス製のレンズであれば、そもそも温度変化による変形量が樹脂レンズである被写体側レンズ３５ｋに比べて遙かに小さい。
【０１９８】
上述の通り、組み合わせレンズ３５ｋ、３５ｍの焦点距離ｆは、
ｆ＝ｆ１×ｆ２／（ｆ１＋ｆ２−ｄ）
という式によって得られる。そして、本実施形態においては右辺の分子も分母も正なので、レンズ間距離ｄが短くなるほど、焦点距離ｆが短くなる。したがって、温度が上昇してレンズ間距離ｄが短くなることは、組み合わせレンズ３５ｋ、３５ｍの焦点距離ｆを短くする方向に働く。また、温度が下降してレンズ間距離ｄが長くなることは、組み合わせレンズ３５ｋ、３５ｍの焦点距離ｆを長くする方向に働く。
【０１９９】
このように、温度の上昇に起因する第１、結像側レンズ３５ｋ、３５ｍの屈折率の変化が、組み合わせレンズ３５ｋ、３５ｍの焦点距離ｆを長くする方向に働いても、被写体側レンズ３５ｋの変形が逆に焦点距離ｆを短くする方向に働く。
【０２００】
また、温度の下降に起因する第１、結像側レンズ３５ｋ、３５ｍの屈折率の変化が、組み合わせレンズ３５ｋ、３５ｍの焦点距離ｆを短くする方向に働いても、被写体側レンズ３５ｋの変形が逆に焦点距離ｆを長くする方向に働く。
【０２０１】
つまり、両者の働きが相殺される関係にある。結果として、温度の上昇および下降に伴う組み合わせレンズ３５ｋ、３５ｍの焦点距離ｆの変動量が低減され、組み合わせレンズ３５ｋ、３５ｍの焦点と固体撮像素子３３ａとの位置ずれ量が低減される。
【０２０２】
以上説明した通り、レンズ３５ｋ（第１のレンズ）の面のうちレンズ３５ｍ（第２のレンズ）から遠い側の面（一方側の面）と第１ホルダ３１との間に、比較的硬い接着剤３６ｋ（第１の接着剤）が介在する。また、レンズ３５ｋ（第１のレンズ）の面のうちレンズ３５ｍ（第２のレンズ）に近い側の面（他方側の面）と第１ホルダ３１との間に、比較的軟らかい接着剤３６ｍ（第２の接着剤）が介在する。
【０２０３】
このように、弾性率の異なる接着剤３６ｋ、３６ｍをレンズ３５ｋのどちら側の面に付けるかで、レンズ３５ｋの温度変化による変形を調整でき、ひいては、レンズ間距離ｄを調整できる。したがって、接着剤３６ｋ、３６ｍをレンズ３５ｋのどちら側の面に付けるかを適切に設定することで、温度変化に伴うレンズ３５ｋ、３５ｍの屈折率の変化が焦点距離ｆの変化に及ぼす影響と、温度変化に伴うレンズ３５ｋの変形が焦点距離ｆの変化に及ぼす影響とを、逆にすることができる。その結果、温度変化に伴う焦点距離ｆの変動量が低減される。
【０２０４】
また、このように、レンズ３５ｋ、３５ｍの温度変化による屈折率変化を補償しながらも、その補償の手段として用いるのは、補償のためでなくとも通常も用いられる接着剤なので、レンズモジュール４０および撮像装置１の部品点数の増加を抑えることができる。
【０２０５】
（第７実施形態）
次に、本発明の第７実施形態について、図１３Ａ〜図１３Ｃを参照して説明する。本実施形態は、第１実施形態について、以下のような変更を適用したものである。まず、組み合わせレンズを構成する被写体側レンズ３５ａおよび結像側レンズ３５ｂを、それぞれ被写体側レンズ３５ｎ、結像側レンズ３５ｐに置き換えている。また、被写体側接着剤３６ａおよび結像側接着剤３６ｂを、被写体側接着剤３６ｎおよび結像側接着剤３６ｐに置き換えている。また、第１、結像側接着剤３６ｎ、３６ｐの使用対象が、被写体側レンズ３５ｎではなく結像側接着剤３６ｐである。他の構成については、第１実施形態と同じである。
【０２０６】
なお、第１ホルダ３１、被写体側レンズ３５ｎ、結像側レンズ３５ｐ、被写体側接着剤３６ｎ、結像側接着剤３６ｐが、レンズモジュール４０を構成する。また、被写体側レンズ３５ｎが第２のレンズの一例に相当し、結像側レンズ３５ｐが第１のレンズの一例に相当し、被写体側接着剤３６ｎが第１の接着剤の一例に相当し、結像側接着剤３６ｐが第２の接着剤の一例に相当する。
【０２０７】
本実施形態では、被写体側レンズ３５ｎは、ガラス製のレンズであり、結像側レンズ３５ｐは、樹脂製のレンズである。しかし、第１、結像側レンズの材質は、上記のものに限定されるわけではない。
【０２０８】
これら２つのレンズ３５ｎ、３５ｐは、１つの組み合わせレンズを構成し、被写体側レンズ３５ｎよりも結像側レンズ３５ｐが組み合わせレンズの結像側に、すなわち、固体撮像素子３３ａ側に、配置される。
【０２０９】
被写体側接着剤３６ｎは、結像側接着剤３６ｐの被写体側（図１３Ａ〜図１３Ｃ中の左側）の面の周縁部と第２内フランジ３１ｄとの間に介在して結像側レンズ３５ｐを第２内フランジ３１ｄに接着させている。また、結像側接着剤３６ｐが、結像側レンズ３５ｐの結像側（固体撮像素子３３ａ側）の面の周縁部と第３内フランジ３１ｅとの間に介在して結像側レンズ３５ｐを第３内フランジ３１ｅに接着させている。なお、ここでいう結像側は、組み合わせレンズ３５ｎ、３５ｐの結像側（図１３Ａ〜図１３Ｃ中の右側）である。
【０２１０】
被写体側接着剤３６ｎとしては、例えば、エポキシ樹脂系接着剤を用いる。ただし、エポキシ樹脂系接着剤の中でも、弾性率（例えばヤング率。以下同じ。）が結像側レンズ３５ｐの弾性率よりも大きいものを用いる。また、被写体側接着剤３６ｎとしては、エポキシ樹脂系接着剤でなくとも、弾性率が結像側レンズ３５ｐの弾性率よりも大きければよい。なお、被写体側接着剤３６ｎの弾性率が結像側レンズ３５ｐの弾性率よりも大きいので、被写体側接着剤３６ｎの線膨張率は結像側レンズ３５ｐの線膨張率よりも小さい。
【０２１１】
結像側接着剤３６ｐとしては、例えば、シリコンゴム系接着剤を用いる。ただし、シリコンゴム系接着剤の中でも、弾性率が結像側レンズ３５ｐの弾性率よりも小さいものを用いる。また、結像側接着剤３６ｐとしては、シリコンゴム系接着剤でなくとも、弾性率が結像側レンズ３５ｐの弾性率よりも小さければよい。なお、結像側接着剤３６ｐの弾性率が結像側レンズ３５ｐの弾性率よりも小さいので、結像側接着剤３６ｐの線膨張率は結像側レンズ３５ｎの線膨張率よりも大きい。
【０２１２】
このように、結像側レンズ３５ｐは、被写体側の面が被写体側接着剤３６ｎによって第２内フランジ３１ｄに接着され、結像側（固体撮像素子３３ａ側）の面が結像側接着剤３６ｐによって第３内フランジ３１ｅに接着される。
【０２１３】
また、被写体側レンズ３５ｎについては、被写体側の面の周縁部と第１内フランジ３１ｃとの間に介在する接着剤も、結像側（固体撮像素子３３ａ側）の面の周縁部と第２内フランジ３１ｄとの間に介在する接着剤も、同じ材質および弾性率の接着剤が用いられる。
【０２１４】
このように、被写体側レンズ３５ｎは、被写体側の面が或る接着剤によって第１内フランジ３１ｃに接着され、結像側の面も同じ接着剤によって第２内フランジ３１ｄに接着される。
【０２１５】
ここで、被写体側レンズ３５ｎ、結像側レンズ３５ｐの光学特性について説明する。被写体側レンズ３５ｎの焦点距離をｆ１とし、結像側レンズ３５ｐの焦点距離をｆ２とし、被写体側レンズ３５ｎと結像側レンズ３５ｐの間の距離（以下、レンズ間距離という）をｄとすると、上記組み合わせレンズの焦点距離ｆは、以下の式に従う。
ｆ＝ｆ１×ｆ２／（ｆ１＋ｆ２−ｄ）
そして、本実施形態においては、ｆ１×ｆ２が正となる。これは、被写体側レンズ３５ｎも結像側レンズ３５ｐも凸レンズなので焦点距離ｆ１、ｆ２が共に正だからである。このｆ１×ｆ２＞０の関係は、第１実施形態と同じ動作温度範囲内で常に成立する。また、本実施形態においては、上記動作温度範囲内で、ｆ１＋ｆ２−ｄが常に正となる。このようになっていることで、上記動作温度範囲内で、組み合わせレンズ３５ｎ、３５ｐの焦点距離ｆが正になる。
【０２１６】
なお、組み合わせレンズの焦点は、被写体側レンズ３５ｎ、結像側レンズ３５ｐの温度が所定の常温Ｔ１（例えば２０℃）において固体撮像素子３３ａの位置と一致するよう、あらかじめ調整されている。ここで、被写体側レンズ３５ｎ、結像側レンズ３５ｐの温度が所定の常温Ｔ１である場合のレンズ間距離ｄはｄ＿Ｔ１であるとする。
【０２１７】
ここで、被写体側レンズ３５ｎ、結像側レンズ３５ｐの温度が所定の常温Ｔ１よりも上昇した場合について説明する。この場合、温度が上昇することに伴う被写体側レンズ３５ｎおよび結像側レンズ３５ｐの屈折率の変化は、組み合わせレンズの焦点距離ｆを短くする方向に働く。より具体的に説明すると、以下の通りである。
【０２１８】
常温Ｔ１において組み合わせレンズ３５ｎ、３５ｐの焦点距離ｆがｆ＿Ｔ１であり、上昇後の高温Ｔ２（例えば１００℃）において焦点距離ｆ１がｆ１＿Ｔ２であり、焦点距離ｆ２がｆ２＿Ｔ２であるとする。この場合、
ｆ＿Ｔ１＞ｆ１＿Ｔ２×ｆ２＿Ｔ２／（ｆ１＿Ｔ２＋ｆ２＿Ｔ２−ｄ＿Ｔ１）
という関係が成立する。なお、右辺では、分母のｄ＿Ｔ１が常温Ｔ１時の距離ｄとなっているので、右辺全体は高温Ｔ２時における組み合わせレンズの焦点距離ｆとは異なる。つまり、レンズ間距離ｄが常温Ｔ１時も高温Ｔ２時も変化せず同じであると仮定すれば、レンズ３５ｎ、３５ｐの屈折率の変化によって、組み合わせレンズの焦点距離ｆが短くなる。
【０２１９】
なお、本実施形態を含め一般的にレンズの屈折率は上記動作温度範囲を含む広い温度範囲で概ね温度の一次関数となるので、上記のことは、高温Ｔ２がどの温度でも同じように成り立つ。更には、レンズ３５ｎ、３５ｐの温度が所定の常温Ｔ１よりも下降して低温Ｔ３になった場合も、上記と逆のことが言える。ここで、低温Ｔ３は、−４０℃でもよいし他の温度でもよい。
【０２２０】
つまり、温度が下降することに伴う被写体側レンズ３５ｎおよび結像側レンズ３５ｐの屈折率の変化は、組み合わせレンズの焦点距離ｆを長くする方向に働く。すなわち、下降後の低温Ｔ３において焦点距離ｆ１がｆ１＿Ｔ３であり、焦点距離ｆ２がｆ２＿Ｔ３であるとした場合、
ｆ＿Ｔ１＜ｆ１＿Ｔ３×ｆ３＿Ｔ３／（ｆ１＿Ｔ３＋ｆ２＿Ｔ３−ｄ＿Ｔ１）
という関係が成立する。つまり、レンズ間距離ｄが常温Ｔ１時も低温Ｔ３時も変化せず同じであると仮定すれば、レンズ３５ｎ、３５ｐの屈折率の変化によって、組み合わせレンズの焦点距離ｆが長くなる。
【０２２１】
温度変化によって上記のような屈折率変化および焦点距離変化を示す組み合わせレンズ３５ｎ、３５ｐとしては、例えば、以下の条件（Ａ）、（Ｂ）、（Ｃ）のすべてを満たすものがある。
（Ａ）温度変化による屈折率変化量およびそれに起因する焦点距離変化量が、被写体側レンズ３５ｎよりも結像側レンズ３５ｐの方が遙かに大きい。
（Ｂ）焦点距離ｆ２は、温度が上昇して屈折率が変化することで短くなり、温度が下降して屈折率が変化することで長くなる。
（Ｃ）焦点距離ｆ１は、上記動作温度範囲内において、常にレンズ間距離ｄより長い。
上記（Ｂ）のような特徴を有する樹脂レンズとしては、シクロオレフィンポリマー樹脂がある。
【０２２２】
以下、上記のような構成の組み合わせレンズ３５ｎ、３５ｐにおける、温度変化に伴う焦点距離ｆの変化について説明する。組み合わせレンズ３５ｎ、３５ｐが常温Ｔ１の場合、図１３Ａに示すように、レンズ間距離ｄはｄ＿Ｔ１であり、すでに説明した通り、このとき、組み合わせレンズ３５ｎ、３５ｐの焦点は固体撮像素子３３ａの位置と一致する。
【０２２３】
また、組み合わせレンズ３５ｎ、３５ｐの温度が高温Ｔ２に上昇した場合、図１３Ｂに示すように結像側レンズ３５ｐの形状が変化する。具体的には、被写体側接着剤３６ｎが結像側レンズ３５ｐよりも弾性率が高く（すなわち硬く）、結像側接着剤３６ｐが結像側レンズ３５ｐよりも弾性率が低い（すなわち軟らかい）。したがって、結像側レンズ３５ｐのうち、被写体側接着剤３６ｎと接触している面およびその近傍に比べ、結像側接着剤３６ｐと接触している面およびその近傍の方が、温度上昇による変形量（より具体的には膨張量）が大きくなる。つまり、接着剤３６ｎ、３６ｐの弾性率の違いにより、結像側レンズ３５ｐが、被写体側接着剤３６ｎ側よりも結像側接着剤３６ｐ側でより自由に変形する。
【０２２４】
その結果、結像側レンズ３５ｎが反るように変形することで、結像側レンズ３５ｎの中央部が結像側接着剤３６ｐ側に、すなわち、被写体側レンズ３５ｎから遠ざかる方向に、移動する。これにより、レンズ間距離ｄが、ｄ＿Ｔ１よりも長いｄ＿Ｔ２となる。このように、組み合わせレンズ３５ｎ、３５ｐの温度が上昇するほど、レンズ間距離ｄが長くなる。
【０２２５】
また、組み合わせレンズ３５ｎ、３５ｐの温度が常温Ｔ１から低温Ｔ３に下降した場合、図１３Ｃに示すように結像側レンズ３５ｐの形状が変化する。具体的には、結像側レンズ３５ｐのうち、結像側接着剤３６ｐと接触している面およびその近傍に比べ、被写体側接着剤３６ｎと接触している面およびその近傍の方が、温度下降による変形量（より具体的には収縮量）が小さくなる。
【０２２６】
その結果、結像側レンズ３５ｐが反るように変形することで、結像側レンズ３５ｐの中央部が被写体側接着剤３６ｎ側に、すなわち、被写体側レンズ３５ｎに近づく方向に、移動する。これにより、レンズ間距離ｄが、ｄ＿Ｔ１よりも短いｄ＿Ｔ３となる。このように、組み合わせレンズ３５ｎ、３５ｐの温度が下降するほど、レンズ間距離ｄが短くなる。
【０２２７】
なお、被写体側レンズ３５ｎについては、第１内フランジ３１ｃ、第２内フランジ３１ｄへの接着に用いられる接着剤に特性の違いが無いので、仮に被写体側レンズ３５ｎが熱により変形したとしても、その変形は、レンズ間距離ｄの変動に実質的に寄与しない。また、被写体側レンズ３５ｎがガラス製のレンズであれば、そもそも温度変化による変形量が樹脂レンズである結像側レンズ３５ｐに比べて遙かに小さい。
【０２２８】
上述の通り、組み合わせレンズ３５ｎ、３５ｐの焦点距離ｆは、
ｆ＝ｆ１×ｆ２／（ｆ１＋ｆ２−ｄ）
という式によって得られる。そして、本実施形態においては右辺の分子も分母も正なので、レンズ間距離ｄが短くなるほど、焦点距離ｆが短くなる。したがって、温度が上昇してレンズ間距離ｄが長くなることは、組み合わせレンズ３５ｎ、３５ｐの焦点距離ｆを長くする方向に働く。また、温度が下降してレンズ間距離ｄが短くなることは、組み合わせレンズ３５ｎ、３５ｐの焦点距離ｆを短くする方向に働く。
【０２２９】
このように、温度の上昇に起因する第１、結像側レンズ３５ｎ、３５ｐの屈折率の変化が、組み合わせレンズ３５ｎ、３５ｐの焦点距離ｆを短くする方向に働いても、結像側レンズ３５ｐの変形が逆に焦点距離ｆを長くする方向に働く。
【０２３０】
また、温度の下降に起因する第１、結像側レンズ３５ｎ、３５ｐの屈折率の変化が、組み合わせレンズ３５ｎ、３５ｐの焦点距離ｆを長くする方向に働いても、結像側レンズ３５ｐの変形が逆に焦点距離ｆを短くする方向に働く。
【０２３１】
つまり、両者の働きが相殺される関係にある。結果として、温度の上昇および下降に伴う組み合わせレンズ３５ｎ、３５ｐの焦点距離ｆの変動量が低減され、組み合わせレンズ３５ｎ、３５ｐの焦点と固体撮像素子３３ａとの位置ずれ量が低減される。
【０２３２】
以上説明した通り、レンズ３５ｐ（第１のレンズ）の面のうちレンズ３５ｎ（第２のレンズ）に近い側の面（一方側の面）と第１ホルダ３１との間に、比較的硬い接着剤３６ｎ（第１の接着剤）が介在する。また、レンズ３５ｐ（第１のレンズ）の面のうちレンズ３５ｎ（第２のレンズ）から遠い側の面（他方側の面）と第１ホルダ３１との間に、比較的軟らかい接着剤３６ｐ（第２の接着剤）が介在する。
【０２３３】
このように、弾性率の異なる接着剤３６ｎ、３６ｐをレンズ３５ｐのどちら側の面に付けるかで、レンズ３５ｐの温度変化による変形を調整でき、ひいては、レンズ間距離ｄを調整できる。したがって、接着剤３６ｎ、３６ｐをレンズ３５ｐのどちら側の面に付けるかを適切に設定することで、温度変化に伴うレンズ３５ｎ、３５ｐの屈折率の変化が焦点距離ｆの変化に及ぼす影響と、温度変化に伴うレンズ３５ｐの変形が焦点距離ｆの変化に及ぼす影響とを、逆にすることができる。その結果、温度変化に伴う焦点距離ｆの変動量が低減される。
【０２３４】
また、このように、レンズ３５ｎ、３５ｐの温度変化による屈折率変化を補償しながらも、その補償の手段として用いるのは、補償のためでなくとも通常も用いられる接着剤なので、レンズモジュール４０および撮像装置１の部品点数の増加を抑えることができる。
【０２３５】
（第８実施形態）
次に、本発明の第８実施形態について、図１４Ａ〜図１４Ｃを参照して説明する。本実施形態は、第１実施形態について、以下のような変更を適用したものである。まず、組み合わせレンズを構成する被写体側レンズ３５ａおよび結像側レンズ３５ｂを、それぞれ被写体側レンズ３５ｑ、結像側レンズ３５ｒに置き換えている。また、被写体側接着剤３６ａおよび結像側接着剤３６ｂを、被写体側接着剤３６ｑおよび結像側接着剤３６ｒに置き換えている。また、第１、結像側接着剤３６ｑ、３６ｒの使用対象が、被写体側レンズ３５ｑではなく結像側レンズ３５ｒである。他の構成については、第１実施形態と同じである。
【０２３６】
なお、第１ホルダ３１、被写体側レンズ３５ｑ、結像側レンズ３５ｒ、被写体側接着剤３６ｑ、結像側接着剤３６ｒが、レンズモジュール４０を構成する。また、被写体側レンズ３５ｑが第２のレンズの一例に相当し、結像側レンズ３５ｒが第１のレンズの一例に相当し、被写体側接着剤３６ｑが第２の接着剤の一例に相当し、結像側接着剤３６ｒが第１の接着剤の一例に相当する。
【０２３７】
本実施形態では、被写体側レンズ３５ｑは、ガラス製のレンズであり、結像側レンズ３５ｒは、樹脂製のレンズである。しかし、第１、結像側レンズの材質は、上記のものに限定されるわけではない。
【０２３８】
これら２つのレンズ３５ｑ、３５ｒは、１つの組み合わせレンズを構成し、被写体側レンズ３５ｑよりも結像側レンズ３５ｒが組み合わせレンズの結像側に、すなわち、固体撮像素子３３ａ側に、配置される。
【０２３９】
被写体側接着剤３６ｑは、結像側接着剤３６ｒの被写体側（図１４Ａ〜図１４Ｃ中の左側）の面の周縁部と第２内フランジ３１ｄとの間に介在して結像側レンズ３５ｒを第２内フランジ３１ｄに接着させている。また、結像側接着剤３６ｒが、結像側レンズ３５ｒの結像側（固体撮像素子３３ａ側）の面の周縁部と第３内フランジ３１ｅとの間に介在して結像側レンズ３５ｒを第３内フランジ３１ｅに接着させている。なお、ここでいう結像側は、組み合わせレンズ３５ｑ、３５ｒの結像側（図１４Ａ〜図１４Ｃ中の右側）である。
【０２４０】
被写体側接着剤３６ｑとしては、例えば、シリコンゴム系接着剤を用いる。ただし、シリコンゴム系接着剤の中でも、弾性率（例えばヤング率。以下同じ。）が結像側レンズ３５ｒの弾性率よりも小さいものを用いる。また、被写体側接着剤３６ｑとしては、シリコンゴム系接着剤でなくとも、弾性率が結像側レンズ３５ｒの弾性率よりも小さければよい。なお、被写体側接着剤３６ｑの弾性率が結像側レンズ３５ｒの弾性率よりも小さいので、被写体側接着剤３６ｑの線膨張率は結像側レンズ３５ｑの線膨張率よりも大きい。
【０２４１】
結像側接着剤３６ｒとしては、例えば、エポキシ樹脂系接着剤を用いる。ただし、エポキシ樹脂系接着剤の中でも、弾性率が結像側レンズ３５ｒの弾性率よりも大きいものを用いる。また、結像側接着剤３６ｒとしては、エポキシ樹脂系接着剤でなくとも、弾性率が結像側レンズ３５ｒの弾性率よりも大きければよい。なお、結像側接着剤３６ｒの弾性率が結像側レンズ３５ｒの弾性率よりも大きいので、結像側接着剤３６ｒの線膨張率は結像側レンズ３５ｒの線膨張率よりも小さい。
【０２４２】
このように、結像側レンズ３５ｒは、被写体側の面が被写体側接着剤３６ｑによって第２内フランジ３１ｄに接着され、結像側（固体撮像素子３３ａ側）の面が結像側接着剤３６ｒによって第３内フランジ３１ｅに接着される。
【０２４３】
また、被写体側レンズ３５ｑについては、被写体側の面の周縁部と第１内フランジ３１ｃとの間に介在する接着剤も、結像側（固体撮像素子３３ａ側）の面の周縁部と第２内フランジ３１ｄとの間に介在する接着剤も、同じ材質および弾性率の接着剤が用いられる。
【０２４４】
このように、被写体側レンズ３５ｑは、被写体側の面が或る接着剤によって第１内フランジ３１ｃに接着され、結像側の面も同じ接着剤によって第２内フランジ３１ｄに接着される。
【０２４５】
ここで、被写体側レンズ３５ｑ、結像側レンズ３５ｒの光学特性について説明する。被写体側レンズ３５ｑの焦点距離をｆ１とし、結像側レンズ３５ｒの焦点距離をｆ２とし、被写体側レンズ３５ｑと結像側レンズ３５ｒの間の距離（以下、レンズ間距離という）をｄとすると、上記組み合わせレンズの焦点距離ｆは、以下の式に従う。
ｆ＝ｆ１×ｆ２／（ｆ１＋ｆ２−ｄ）
そして、本実施形態においては、ｆ１×ｆ２が正となる。これは、被写体側レンズ３５ｑも結像側レンズ３５ｒも凸レンズなので焦点距離ｆ１、ｆ２が共に正だからである。このｆ１×ｆ２＞０の関係は、第１実施形態と同じ動作温度範囲内で常に成立する。また、本実施形態においては、上記動作温度範囲内で、ｆ１＋ｆ２−ｄが常に正となる。このようになっていることで、上記動作温度範囲内で、組み合わせレンズ３５ｑ、３５ｒの焦点距離ｆが正になる。
【０２４６】
なお、組み合わせレンズの焦点は、被写体側レンズ３５ｑ、結像側レンズ３５ｒの温度が所定の常温Ｔ１（例えば２０℃）において固体撮像素子３３ａの位置と一致するよう、あらかじめ調整されている。ここで、被写体側レンズ３５ｑ、結像側レンズ３５ｒの温度が所定の常温Ｔ１である場合のレンズ間距離ｄはｄ＿Ｔ１であるとする。
【０２４７】
ここで、被写体側レンズ３５ｑ、結像側レンズ３５ｒの温度が所定の常温Ｔ１よりも上昇した場合について説明する。この場合、温度が上昇することに伴う被写体側レンズ３５ｑおよび結像側レンズ３５ｒの屈折率の変化は、組み合わせレンズの焦点距離ｆを長くする方向に働く。より具体的に説明すると、以下の通りである。
【０２４８】
常温Ｔ１において組み合わせレンズ３５ｑ、３５ｒの焦点距離ｆがｆ＿Ｔ１であり、上昇後の高温Ｔ２（例えば１００℃）において焦点距離ｆ１がｆ１＿Ｔ２であり、焦点距離ｆ２がｆ２＿Ｔ２であるとする。この場合、
ｆ＿Ｔ１＜ｆ１＿Ｔ２×ｆ２＿Ｔ２／（ｆ１＿Ｔ２＋ｆ２＿Ｔ２−ｄ＿Ｔ１）
という関係が成立する。なお、右辺では、分母のｄ＿Ｔ１が常温Ｔ１時の距離ｄとなっているので、右辺全体は高温Ｔ２時における組み合わせレンズの焦点距離ｆとは異なる。つまり、レンズ間距離ｄが常温Ｔ１時も高温Ｔ２時も変化せず同じであると仮定すれば、レンズ３５ｑ、３５ｒの屈折率の変化によって、組み合わせレンズの焦点距離ｆが長くなる。
【０２４９】
なお、本実施形態を含め一般的にレンズの屈折率は上記動作温度範囲を含む広い温度範囲で概ね温度の一次関数となるので、上記のことは、高温Ｔ２がどの温度でも同じように成り立つ。更には、レンズ３５ｑ、３５ｒの温度が所定の常温Ｔ１よりも下降して低温Ｔ３になった場合も、上記と逆のことが言える。ここで、低温Ｔ３は、−４０℃でもよいし他の温度でもよい。
【０２５０】
つまり、温度が下降することに伴う被写体側レンズ３５ｑおよび結像側レンズ３５ｒの屈折率の変化は、組み合わせレンズの焦点距離ｆを短くする方向に働く。すなわち、下降後の低温Ｔ３において焦点距離ｆ１がｆ１＿Ｔ３であり、焦点距離ｆ２がｆ２＿Ｔ３であるとした場合、
ｆ＿Ｔ１＞ｆ１＿Ｔ３×ｆ３＿Ｔ３／（ｆ１＿Ｔ３＋ｆ２＿Ｔ３−ｄ＿Ｔ１）
という関係が成立する。つまり、レンズ間距離ｄが常温Ｔ１時も低温Ｔ３時も変化せず同じであると仮定すれば、レンズ３５ｑ、３５ｒの屈折率の変化によって、組み合わせレンズの焦点距離ｆが短くなる。
【０２５１】
温度変化によって上記のような屈折率変化および焦点距離変化を示す組み合わせレンズ３５ｑ、３５ｒとしては、例えば、以下の条件（Ａ）、（Ｂ）、（Ｃ）のすべてを満たすものがある。
（Ａ）温度変化による屈折率変化量およびそれに起因する焦点距離変化量が、被写体側レンズ３５ｑよりも結像側レンズ３５ｒの方が遙かに大きい。
（Ｂ）焦点距離ｆ２は、温度が上昇して屈折率が変化することで長くなり、温度が下降して屈折率が変化することで短くなる。
（Ｃ）焦点距離ｆ１は、上記動作温度範囲内において、常にレンズ間距離ｄより長い。
上記（Ｂ）のような特徴を有する樹脂レンズとしては、シクロオレフィンポリマー樹脂がある。
【０２５２】
以下、上記のような構成の組み合わせレンズ３５ｑ、３５ｒにおける、温度変化に伴う焦点距離ｆの変化について説明する。組み合わせレンズ３５ｑ、３５ｒが常温Ｔ１の場合、図１４Ａに示すように、レンズ間距離ｄはｄ＿Ｔ１であり、すでに説明した通り、このとき、組み合わせレンズ３５ｑ、３５ｒの焦点は固体撮像素子３３ａの位置と一致する。
【０２５３】
また、組み合わせレンズ３５ｑ、３５ｒの温度が高温Ｔ２に上昇した場合、図１４Ｂに示すように結像側レンズ３５ｒの形状が変化する。具体的には、被写体側接着剤３６ｑが結像側レンズ３５ｒよりも弾性率が低く（すなわち軟らかく）、結像側接着剤３６ｒが結像側レンズ３５ｒよりも弾性率が高い（すなわち硬い）。したがって、結像側レンズ３５ｒのうち、被写体側接着剤３６ｑと接触している面およびその近傍に比べ、結像側接着剤３６ｒと接触している面およびその近傍の方が、温度上昇による変形量（より具体的には膨張量）が小さくなる。つまり、接着剤３６ｑ、３６ｒの弾性率の違いにより、結像側レンズ３５ｒが、結像側接着剤３６ｒ側よりも被写体側接着剤３６ｑ側でより自由に変形する。
【０２５４】
その結果、結像側レンズ３５ｑが反るように変形することで、結像側レンズ３５ｑの中央部が被写体側接着剤３６ｐ側に、すなわち、被写体側レンズ３５ｑに近づく方向に、移動する。これにより、レンズ間距離ｄが、ｄ＿Ｔ１よりも短いｄ＿Ｔ２となる。このように、組み合わせレンズ３５ｑ、３５ｒの温度が上昇するほど、レンズ間距離ｄが短くなる。
【０２５５】
また、組み合わせレンズ３５ｑ、３５ｒの温度が常温Ｔ１から低温Ｔ３に下降した場合、図１４Ｃに示すように結像側レンズ３５ｒの形状が変化する。具体的には、結像側レンズ３５ｒのうち、結像側接着剤３６ｒと接触している面およびその近傍に比べ、被写体側接着剤３６ｑと接触している面およびその近傍の方が、温度下降による変形量（より具体的には収縮量）が大きくなる。
【０２５６】
その結果、結像側レンズ３５ｒが反るように変形することで、結像側レンズ３５ｒの中央部が結像側接着剤３６ｒ側に、すなわち、被写体側レンズ３５ｑから遠ざかる方向に、移動する。これにより、レンズ間距離ｄが、ｄ＿Ｔ１よりも長いｄ＿Ｔ３となる。このように、組み合わせレンズ３５ｑ、３５ｒの温度が下降するほど、レンズ間距離ｄが長くなる。
【０２５７】
なお、被写体側レンズ３５ｑについては、第１内フランジ３１ｃ、第２内フランジ３１ｄへの接着に用いられる接着剤に特性の違いが無いので、仮に被写体側レンズ３５ｑが熱により変形したとしても、その変形は、レンズ間距離ｄの変動に実質的に寄与しない。また、被写体側レンズ３５ｑがガラス製のレンズであれば、そもそも温度変化による変形量が樹脂レンズである結像側レンズ３５ｒに比べて遙かに小さい。
【０２５８】
上述の通り、組み合わせレンズ３５ｑ、３５ｒの焦点距離ｆは、
ｆ＝ｆ１×ｆ２／（ｆ１＋ｆ２−ｄ）
という式によって得られる。そして、本実施形態においては右辺の分子も分母も正なので、レンズ間距離ｄが短くなるほど、焦点距離ｆが短くなる。したがって、温度が上昇してレンズ間距離ｄが短くなることは、組み合わせレンズ３５ｑ、３５ｒの焦点距離ｆを短くする方向に働く。また、温度が下降してレンズ間距離ｄが長くなることは、組み合わせレンズ３５ｑ、３５ｒの焦点距離ｆを長くする方向に働く。
【０２５９】
このように、温度の上昇に起因する第１、結像側レンズ３５ｑ、３５ｒの屈折率の変化が、組み合わせレンズ３５ｑ、３５ｒの焦点距離ｆを長くする方向に働いても、結像側レンズ３５ｒの変形が逆に焦点距離ｆを短くする方向に働く。
【０２６０】
また、温度の下降に起因する第１、結像側レンズ３５ｑ、３５ｒの屈折率の変化が、組み合わせレンズ３５ｑ、３５ｒの焦点距離ｆを短くする方向に働いても、結像側レンズ３５ｒの変形が逆に焦点距離ｆを長くする方向に働く。
【０２６１】
つまり、両者の働きが相殺される関係にある。結果として、温度の上昇および下降に伴う組み合わせレンズ３５ｑ、３５ｒの焦点距離ｆの変動量が低減され、組み合わせレンズ３５ｑ、３５ｒの焦点と固体撮像素子３３ａとの位置ずれ量が低減される。
【０２６２】
以上説明した通り、レンズ３５ｒ（第１のレンズ）の面のうちレンズ３５ｐ（第２のレンズ）から遠い側の面（一方側の面）と第１ホルダ３１との間に、比較的硬い接着剤３６ｒ（第１の接着剤）が介在する。また、レンズ３５ｒ（第１のレンズ）の面のうちレンズ３５ｑ（第２のレンズ）に近い側の面（他方側の面）と第１ホルダ３１との間に、比較的軟らかい接着剤３６ｑ（第２の接着剤）が介在する。
【０２６３】
このように、弾性率の異なる接着剤３６ｑ、３６ｒをレンズ３５ｒのどちら側の面に付けるかで、レンズ３５ｒの温度変化による変形を調整でき、ひいては、レンズ間距離ｄを調整できる。したがって、接着剤３６ｑ、３６ｒをレンズ３５ｒのどちら側の面に付けるかを適切に設定することで、温度変化に伴うレンズ３５ｑ、３５ｒの屈折率の変化が焦点距離ｆの変化に及ぼす影響と、温度変化に伴うレンズ３５ｒの変形が焦点距離ｆの変化に及ぼす影響とを、逆にすることができる。その結果、温度変化に伴う焦点距離ｆの変動量が低減される。
【０２６４】
また、このように、レンズ３５ｑ、３５ｒの温度変化による屈折率変化を補償しながらも、その補償の手段として用いるのは、補償のためでなくとも通常も用いられる接着剤なので、レンズモジュール４０および撮像装置１の部品点数の増加を抑えることができる。
【０２６５】
（第１〜第８実施形態のまとめ）
図１５に、第１〜第８実施形態の各々の特徴をまとめた。特徴として、対応する図面、被写体側レンズの形状、結像側レンズの形状、高温時の屈折率変化が焦点距離ｆに及ぼす影響、ｆ１＋ｆ２−ｄの正負、高温時のレンズ間距離ｄの変化、２種類の接着剤のうち弾性率の高い（硬い）方の接着剤が表されている。なお、被写体側レンズ、結像側レンズの形状の欄において、「（変形）」と記載されているレンズは、接着剤の弾性率の違いによって意図的に変形させる対象のレンズである。
【０２６６】
これらの図に示すように、高温時の屈折率変化が焦点距離ｆの絶対値を長くするか短くするか、および、ｆ１＋ｆ２−ｄが正か負かによって、高温時にレンズ間距離ｄを長くすべきか短くすべきかが決まり、それに併せて、弾性率の高い方の接着剤が決まる。
【０２６７】
（他の実施形態）
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。例えば、以下のような変形例も許容される。なお、以下の変形例は、それぞれ独立に、上記実施形態に適用および不適用を選択できる。すなわち、以下の変形例のうち任意の組み合わせを、上記実施形態に適用することができる。
【０２６８】
（変形例１）
上記第１〜第８実施形態の各々について、被写体側レンズと結像側レンズの位置関係を反対にしてもよい。例えば、第１実施形態に対して、レンズ３５ｂをレンズ３５ａよりも被写体側に配置するよう変更してもよい。ただしその場合、被写体側接着剤と結像側接着剤の位置関係も反対にする必要がある。例えば、第１実施形態において、レンズ３５ａの被写体側の面と第１ホルダ３１との間に接着剤３６ｂを介在させ、レンズ３５ａの結像側の面と第１ホルダ３１との間に接着剤３６ａを介在させてもよい。このようになっていても、上記第１〜第８実施形態と同等の効果を得ることができる。
【０２６９】
（変形例２）
上記第１〜第８実施形態はいずれも、第１のレンズと第２のレンズを含む組み合わせレンズの焦点距離ｆが正となっている。そして、第１の接着剤と第２の接着剤が第１のレンズをホルダに接着させ、第１の接着剤は弾性率が第１のレンズよりも大きく、第２の接着剤は弾性率が第１のレンズよりも小さい。
【０２７０】
しかし、焦点距離ｆが負となっている組み合わせレンズについても、本発明は適用可能である。組み合わせレンズの焦点距離が負であっても、組み合わせレンズの温度の変化に伴う第１のレンズおよび第２のレンズの屈折率の変化が組み合わせレンズの焦点距離の変化に及ぼす影響と、組み合わせレンズの温度の変化に伴う第１のレンズの変形が組み合わせレンズの焦点距離の変化に及ぼす影響とが、逆になるよう、第１の接着剤が第１のレンズの一方側の面とホルダとの間に介在し、第２の接着剤が第１のレンズの他方側の面とホルダとの間に介在するようになっていればよい。
【符号の説明】
【０２７１】
１                                                              撮像装置
３１                                                            第１ホルダ
３５ａ、３５ｃ、３５ｅ、３５ｇ、３５ｉ、３５ｋ、３５ｎ、３５ｑ  被写体側レンズ
３５ｂ、３５ｄ、３５ｆ、３５ｈ、３５ｊ、３５ｍ、３５ｐ、３５ｒ  結像側レンズ
３６ａ、３６ｃ、３６ｅ、３６ｇ、３６ｉ、３６ｋ、３６ｎ、３６ｑ  被写体側接着剤
３６ｂ、３６ｄ、３６ｆ、３６ｈ、３６ｊ、３６ｍ、３６ｐ、３６ｒ  結像側接着剤
４０                                                            レンズモジュール
【図１】
2015219437.tif 000003
【図２】
2015219437.tif 000004
【図３】
2015219437.tif 000005
【図４】
2015219437.tif 000006
【図５】
2015219437.tif 000007
【図６】
2015219437.tif 000008
【図７Ａ】
2015219437.tif 000009
【図７Ｂ】
2015219437.tif 000010
【図７Ｃ】
2015219437.tif 000011
【図８Ａ】
2015219437.tif 000012
【図８Ｂ】
2015219437.tif 000013
【図８Ｃ】
2015219437.tif 000014
【図９Ａ】
2015219437.tif 000015
【図９Ｂ】
2015219437.tif 000016
【図９Ｃ】
2015219437.tif 000017
【図１０Ａ】
2015219437.tif 000018
【図１０Ｂ】
2015219437.tif 000019
【図１０Ｃ】
2015219437.tif 000020
【図１１Ａ】
2015219437.tif 000021
【図１１Ｂ】
2015219437.tif 000022
【図１１Ｃ】
2015219437.tif 000023
【図１２Ａ】
2015219437.tif 000024
【図１２Ｂ】
2015219437.tif 000025
【図１２Ｃ】
2015219437.tif 000026
【図１３Ａ】
2015219437.tif 000027
【図１３Ｂ】
2015219437.tif 000028
【図１３Ｃ】
2015219437.tif 000029
【図１４Ａ】
2015219437.tif 000030
【図１４Ｂ】
2015219437.tif 000031
【図１４Ｃ】
2015219437.tif 000032
【図１５】
2015219437.tif 000033